(57)【特許請求の範囲】
【請求項１】
記録媒体に記録された画像データに基くサムネイル画像を表示部に表示させる表示制御装置において、
上記サムネイル画像が人物に関する情報に基いた順番で配列されるサムネイル画面を画面切換操作指令にしたがって順次切り換えて上記表示部に表示させる表示制御部を備え、
上記表示制御部は、上記サムネイル画面に表示される複数のサムネイル画像のうち上記表示部の表示画面上の特定の位置に配置されたサムネイル画像に対応する人物に関する情報を代表の情報として、上記サムネイル画面上に表示させるよう制御することを特徴とする表示制御装置。
【請求項２】
上記表示制御部は、上記サムネイル画面については、上記表示部の表示画面上をスクロール移動させながら切り換え表示させ、上記代表の情報については、上記表示部の表示画面上の一定の位置に固定表示させるよう制御することを特徴とする請求項１に記載の表示制御装置。
【請求項３】
上記表示部の表示画面上の一定位置は、表示画面上の略中央部分であることを特徴とする請求項２に記載の表示制御装置。
【請求項４】
上記表示制御部は、上記サムネイル画面に表示されるサムネイル画像に対応する上記人物に関する情報が一定範囲内で連続する場合には、上記サムネイル画面を連続的に切り換え表示させ、上記人物に関する情報に一定範囲以上の変化があった場合には上記サムネイル画面の切り換えを停止させるよう制御することを特徴とする請求項１に記載の表示制御装置。
【請求項５】
上記表示制御部は、上記サムネイル画面をスクロール表示して連続的に切り換え表示させるよう制御することを特徴とする請求項４に記載の表示制御装置。
【請求項６】
上記サムネイル画像の上記人物に関する情報の変化を検出するサムネイル管理部を、さらに有してなることを特徴とする請求項５に記載の表示制御装置。
【請求項７】
請求項１に記載の表示制御装置を備え、
上記表示制御部は、上記サムネイル画像として撮影画像に基づくサムネイル画像を表示部に表示させることを特徴とするカメラ。
【請求項８】
記録媒体に記録された画像データに基くサムネイル画像が、そのサムネイル画像の人物に関する情報に基いた順番で配列されるサムネイル画面を画面切換操作指令にしたがって切り換えて表示部に表示させる表示制御方法において、
上記サムネイル画面については、上記表示部の表示画面上をスクロール移動させながら切り換え表示し、
上記サムネイル画面に表示される複数のサムネイル画像のうち上記表示部の表示画面上の特定の位置に配置されたサムネイル画像に対応する人物に関する情報を、上記サムネイル画面の代表の情報として上記表示部の表示画面上の一定の位置に表示することを特徴とする表示制御方法。
【請求項９】
記録媒体に記録された画像データに基くサムネイル画像が、そのサムネイル画像の人物に関する情報に基いた順番で配列されるサムネイル画面を画面切換操作指令にしたがって切り換えて表示部に表示させる表示制御方法をコンピュータに実行させるプログラムにおいて、
上記サムネイル画面については、上記表示部の表示画面上をスクロール移動させながら切り換え表示するステップと、
上記サムネイル画面に表示される複数のサムネイル画像のうち上記表示部の表示画面上の特定の位置に配置されたサムネイル画像に対応する人物に関する情報を、上記サムネイル画面の代表の情報として上記表示部の表示画面上の一定の位置に表示させるステップと、
を有することを特徴とする表示制御プログラム。
【発明の詳細な説明】
【技術分野】
【０００１】
この発明は、表示制御装置，カメラ，表示制御方法，表示制御プログラム、詳しくは記録媒体に記録された画像データに基いて表示部に表示される複数の画像に関する各サムネイル画像を一定の順番で配列したサムネイル画面を作成し、このサムネイル画面を連続的に切り換えて表示する表示制御装置と、この表示制御装置を有するカメラと、上記表示制御装置に適用される表示制御方法及びこの表示制御方法をコンピュータに実行させる表示制御プログラムに関するものである。
【背景技術】
【０００２】
近年、撮影レンズを介して入射した被写体からの光束に基いて結像される光像を撮像素子により光電変換し電子的なデジタル画像データを生成し、この画像データを半導体メモリ等の記録媒体に記録し得ると共に、記録媒体に記録された画像データを読み込んで表示装置の表示部に画像として再生表示し得るように構成されたデジタルカメラが実用化され広く普及している。
【０００３】
このようなデジタルカメラによって取得され記録媒体に記録された画像データは、これを取得したデジタルカメラ自身だけではなく、同様の画像データを扱うことのできる他の画像表示装置や画像データ処理装置等の外部機器においても利用することができるようになっており、当該画像データを単に表示させるのみに留まらず、各種の用途に利用されるようになっている。
【０００４】
一方、このような従来のデジタルカメラや外部機器等（以下、デジタルカメラ等と略記する）においては、近年、適用される得る記録媒体の記録容量が大容量化される傾向にある。これに伴って、例えばデジタルカメラによって取得されて、当該デジタルカメラの記録媒体に記録保存された画像データは削除されたり他の大容量媒体へ移動されないまま、つまり、そのデジタルカメラの記録媒体上に多数の画像データが保持された状態のまま、そのデジタルカメラの使用が継続される傾向がある。
【０００５】
このような場合、記録媒体上に記録される画像データ数は、記録媒体が大容量であるほど多数になるのは必然である。
【０００６】
このように、デジタルカメラの記録媒体上に記録された大量の画像データの中から所望の画像を検索し探し出す手段としては、従来、例えば記録媒体に記録された画像データに基く複数のサムネイル画像を一定の順番で、例えば撮影された日時の順番で配列したサムネイル画面を作成し、これを表示部に連続的に切り換えて表示しながら、目視によって所望の画像を検索するといったことがおこなわれている。
【０００７】
この場合において、表示部の表示画面上に表示されるサムネイル画面は、例えば縦三画像×横三画像であったり、縦四画像×横四画像等といった風にサムネイル画像を配列した形態である。使用者は、操作ボタンによる操作指示によって当該サムネイル画面を順次切り換えて、所望の画像を探し出すといった方法が一般に行われている。
【０００８】
この種の手段、つまりサムネイル画面を表示部に順次表示させる方法は、記録媒体に蓄積された多数の画像データに基いて画像を順次検索する場合や、若しくは記録媒体に記録された全てのデータを対象としてどのような画像が記録されているかを順に確認するといった場合等には、非常に有用な表示方法であるといえる。
【０００９】
そこで、従来のデジタルカメラにおいては、サムネイル画面を表示させる際の使い勝手をさらに向上させるための様々な工夫が、例えば特開２００７−１７５２３号公報や特開２００４−２５５７４０号公報等によって種々提案されている。
【００１０】
上記特開２００７−１７５２３号公報によって開示されている表示制御装置は、表示領域よりも大きい仮想表示領域にサムネイル画像を準備しておき、その仮想サムネイル画像内をスクロールさせることでサムネイル画面を切り換えるようにしている。これによれば、サムネイル画面をページ単位で切り換え表示する手段に比べて、より高速にサムネイル画面の切り換え表示をおこない得ると共に、サムネイル画像自体をより明確にかつ見易くすることができるというものである。
【００１１】
また、上記特開２００４−２５５７４０号公報によって開示されている表示制御装置は、サムネイル画像を撮影日時情報に基いて月別にページ単位に分割し、ページ毎にサムネイル画面を表示させることで、撮影日時情報に基いて所望の画像を検索する際の一助とするというものである。
【００１２】
一般に、画像検索をおこなう際には、画像データに付随する画像関連情報のうち撮影日時情報を手がかりとすることが多い。そこで、サムネイル画像が撮影日時情報に基いて分類されていれば、所望の画像の検索がし易くなることは知られている。
【００１３】
つまり、画像検索時には、画像自体を直接目視して探すよりも、画像データに付随する画像関連情報（例えば撮影日時情報等）を有効に利用することができれば、より効率的な画像検索をおこなうことができるようになる。
【先行技術文献】
【特許文献】
【００１４】
【特許文献１】特開２００７−１７５２３号公報
【特許文献２】特開２００４−２５５７４０号公報
【発明の概要】
【発明が解決しようとする課題】
【００１５】
ところが、上記特開２００７−１７５２３号公報によって開示されている手段では、記録媒体に記録されるデータ数が多くなると、仮想表示領域のメモリが多く必要になると共に、そのサムネイル画面が広大になるほど検索に時間がかかるという問題点がある。
【００１６】
また、上記特開２００４−２５５７４０号公報によって開示されている手段では、撮影日時情報等や予め設定された類別情報，記録フォルダ情報等に基いて分類表示をおこなうようにしているので画像の検索はし易くなる。しかしながら、当該公報による手段は、大規模な装置システムに採用するのに適した手段であって、小型デジタルカメラに適用するには、負荷が多大になり適当な手段ではないと考えられる。
【００１７】
一方、デジタルカメラの記録媒体に記録されている全画像データの中から所望の画像を探し易くするためには、画像と共にその画像データに付随する画像関連情報を表示部に、例えば重畳表示させる手段が考えられる。
【００１８】
例えば、単一の画像を表示部の表示画面に表示させる場合には、その表示画面の一部分に表示中の画像の撮影日時情報等の画像関連情報を表示させることは容易に実現できる。
【００１９】
ところが、通常のデジタルカメラにおいては、表示部の表示面積は限られたものであるので、この表示部にサムネイル画面を表示したときには、そのサムネイル画面を構成する個々のサムネイル画像の表示領域は小さなものになる。したがって、これらのサムネイル画像に対応する画像関連情報（撮影日時情報等）を全てのサムネイル画像について判りやすく表示させることは、表示部の表示領域の大きさを考えると困難である。
【００２０】
また、仮に、サムネイル画面中のサムネイル画像の全てに関連情報を付して表示したとしても、各サムネイル画像の表示の邪魔になってしまい好ましい表示方法であるとは言えない。
【００２１】
さらに、ある一つのサムネイル画面中に含まれる全てのサムネイル画像についての撮影日時情報が同一であるとすれば、その撮影日時を一つだけ表示画面上に表示すればよいのであるが、サムネイル画面は、例えば撮影日時順に時系列で配列した複数のサムネイル画像によって構成されるものである場合、ある一つのサムネイル画面中の全てのサムネイル画像についての撮影日時情報が共通する場合よりも、各サムネイル画像の撮影日時が途中から異なる可能性のほうが大きいと考えられる。この場合には、複数の異なる画像関連情報を表示しなければならず、表示画面が煩雑になってしまうという問題点がある。
【００２２】
本発明は、上述した点に鑑みてなされたものであって、その目的とするところは、記録媒体に記録された多数の画像データを対象としてサムネイル画面を切換表示しながら画像検索をおこなうのに際して、従来のサムネイル画面を連続的に表示させる方法を踏襲しながら、画像データに付随する画像関連情報をも利用して迅速かつ確実に所望の画像の検索を可能にした表示制御装置と、この表示制御装置に適用される表示制御方法及びこの表示制御方法をコンピュータに実行させる表示制御プログラムを提供することである。
【課題を解決するための手段】
【００２３】
上記目的を達成するために、本発明の一態様の表示制御装置は、記録媒体に記録された画像データに基くサムネイル画像を表示部に表示させる表示制御装置において、上記サムネイル画像が人物に関する情報に基いた順番で配列されるサムネイル画面を画面切換操作指令にしたがって順次切り換えて上記表示部に表示させる表示制御部を備え、上記表示制御部は、上記サムネイル画面に表示される複数のサムネイル画像のうち上記表示部の表示画面上の特定の位置に配置されたサムネイル画像に対応する人物に関する情報を代表の情報として、上記サムネイル画面上に表示させるよう制御する。
【００２４】
本発明の一態様のカメラは、上記表示制御装置を備え、上記表示制御部は、上記サムネイル画像として撮影画像に基くサムネイル画像を表示部に表示させる。
【００２５】
本発明の一態様の表示制御方法は、記録媒体に記録された画像データに基くサムネイル画像が、そのサムネイル画像の人物に関する情報に基いた順番で配列されるサムネイル画面を画面切換操作指令にしたがって切り換えて表示部に表示させる表示制御方法において、上記サムネイル画面については、上記表示部の表示画面上をスクロール移動させながら切り換え表示し、上記サムネイル画面に表示される複数のサムネイル画像のうち上記表示部の表示画面上の特定の位置に配置されたサムネイル画像に対応する人物に関する情報を、上記サムネイル画面の代表の情報として上記表示部の表示画面上の一定の位置に表示する。
【００２６】
本発明の一態様の表示制御プログラムは、記録媒体に記録された画像データに基くサムネイル画像が、そのサムネイル画像の人物に関する情報に基いた順番で配列されるサムネイル画面を画面切換操作指令にしたがって切り換えて表示部に表示させる表示制御方法をコンピュータに実行させるプログラムにおいて、上記サムネイル画面については、上記表示部の表示画面上をスクロール移動させながら切り換え表示するステップと、上記サムネイル画面に表示される複数のサムネイル画像のうち上記表示部の表示画面上の特定の位置に配置されたサムネイル画像に対応する人物に関する情報を、上記サムネイル画面の代表の情報として上記表示部の表示画面上の一定の位置に表示させるステップとを有する。
【発明の効果】
【００２７】
本発明によれば、記録媒体に記録された多数の画像データを対象としてサムネイル画面を切換表示しながら画像検索をおこなうのに際して、従来のサムネイル画面を連続的に表示させる方法を踏襲しながら、画像データに付随する画像関連情報をも利用して迅速かつ確実に所望の画像の検索を可能にした表示制御装置と、この表示制御装置に適用される表示制御方法及びこの表示制御方法をコンピュータに実行させる表示制御プログラムを提供することができる。
【図面の簡単な説明】
【００２８】
【図１】本発明の一実施形態の表示制御装置（デジタルカメラ）の内部構成の概略を示すブロック構成図
【図２】図１のデジタルカメラを再生モードで動作させる際の処理の流れを示すフローチャート
【図３】図１のデジタルカメラにおける一コマ再生モードの処理シーケンスの詳細を示すフローチャート
【図４】図１のデジタルカメラにおいて表示部に表示されるサムネイル画面の表示例であって、スクロール動作中の各表示状態を示す図
【図５】図４に続くスクロール動作中の各状態を示す図
【図６】図５に続くスクロール動作中の各状態を示す図
【図７】図４の各表示変化に対応する第一信号Ｌ及び第二信号Ｈの出力状態を示す図
【図８】図１のデジタルカメラおいて表示部に表示される一コマ画像表示の表示例であって、一コマ画像表示時のスクロール移動中の各表示状態を示す図
【図９】図１のデジタルカメラにおける再生モード時の作用のうちサムネイル画面のスクロール移動時の別の表示例であって、スクロール動作中の各表示状態を示す図
【図１０】図１のデジタルカメラにおける再生モード時のサムネイル画面のスクロール移動中の代表情報の表示タイミングについての別の表示例であって、スクロール動作中の各表示状態を示す図
【図１１】図１のデジタルカメラにおける再生モード時の作用のうち別の形態でサムネイル画像を配列した場合のサムネイル画面のスクロール移動時の表示例を示す図
【図１２】図１のデジタルカメラにおける再生モード時の作用のうちサムネイル画面の表示切り換えの別の表示例であって、スクロール動作中の各表示状態を示す図
【図１３】図１のデジタルカメラにおける再生モード時の作用を示す図であって、図１２の表示例の一画面単位での表示切り換え方法を、図１１の表示例の配列方法で作成したサムネイル画像に対して適用した場合の表示例を示す図
【図１４】図１のデジタルカメラにおける再生モード時のサムネイル画面において、代表情報の表示領域の別の表示例を示す図
【図１５】図１のデジタルカメラにおける再生モード時のサムネイル画面において、代表情報の表示領域のさらに別の表示例を示す図
【図１６】図１のデジタルカメラにおける再生モードのうちのサムネイル再生モードにより画像の表示をおこなう際に、サムネイル画像の配列情報として撮影位置情報を用いた場合の表示例であって、スクロール動作中の各表示状態を示す図
【図１７】図１６に続くスクロール動作中の各状態を示す図
【図１８】図１のデジタルカメラにおける再生モードのうちのサムネイル再生モードにより画像の表示をおこなう際に、サムネイル画像の配列情報としてアルバム情報を用いた場合の表示例であって、スクロール動作中の各表示状態を示す図
【図１９】図１８に続くスクロール動作中の各状態を示す図
【発明を実施するための形態】
【００２９】
以下、図示の実施の形態によって本発明を説明する。
【００３０】
以下に説明する一実施形態は、光学レンズ等によって被写体の光像を結像させる撮影光学系を有し、この撮影光学系を介して入射した被写体からの光束により結像される被写体の光像を撮像素子にて受光し、この撮像素子が光電変換処理をおこなうことにより電子的な画像データを取得し、これをデジタル画像データとして記録媒体に記録し得ると共に、この記録媒体に記録された画像データを読み込んで、これに基く画像を表示部を用いて再生表示し得るように構成されるデジタルカメラに対して、本発明を適用した場合の例である。
【００３１】
まず、本実施形態の表示制御装置であるデジタルカメラの内部構成の概略を、図１を用いて以下に説明する。
【００３２】
図１は、本発明の一実施形態の表示制御装置（デジタルカメラ）の内部構成の概略を示すブロック構成図である。
【００３３】
本デジタルカメラ１は、図１に示すように、本デジタルカメラ１全体の電気的な制御を司る制御回路であるＣＰＵ１０と、被写体側からの光束を透過させ被写体の光像（以下、被写体像という）を結像させる撮影光学系１１と、この撮影光学系１１の光軸Ｏの同軸上に設けられ撮影光学系１１を透過して本デジタルカメラ１の内部に入射する光束の入射量（即ち露出量）を制御するシャッター部１２と、撮影光学系１１により結像される被写体像を受光して光電変換処理をおこない電気的な画像信号を生成し出力する光電変換素子であって例えばＣＣＤ，ＣＭＯＳ等からなる撮像素子１３と、この撮像素子１３から出力される画像信号を受けてデジタル信号に変換する処理等をおこなってデジタル画像信号を出力する撮像部１４と、本デジタルカメラ１において扱う画像信号に関する各種の信号処理をおこなう画像処理部１５と、処理中の画像データ等を一時的に記憶する一時メモリである不揮発性半導体メモリからなるＲＡＭ１６と、本デジタルカメラ１の動作制御のための各種の制御プログラムや各種規定の設定情報等が予め記憶されている不揮発性半導体メモリからなるＲＯＭ１９と、撮影画像や各種の設定メニュー画面等を表示するメイン表示装置の表示部２１と、この表示部２１を駆動制御する表示駆動部２０と、本デジタルカメラ１によって取得された画像信号を記録形式の画像データに変換処理し記録媒体１８ａへの記録処理をおこなう画像記憶部１８と、本デジタルカメラ１に設けられる各種の操作部材の操作に連繋して所定の指示信号をＣＰＵ１０へと出力する操作部２２と、画像を表示部２１に表示させるための制御を司る表示制御部１７と、本デジタルカメラ１内の上記各構成ブロック間を連繋し電気信号の流路を構築する制御線２３等を有して主に構成されている。
【００３４】
画像処理部１５は、撮像部１４から出力されるデジタル画像信号を受けて各種の信号処理をおこなって表示形態の画像信号を生成し、これを表示制御部１７へと出力したり、記録形態の画像信号を生成し、これを画像記憶部１８へと出力する等の処理をおこなう。具体的には、例えば画像処理部１５は、撮像部１４から出力されるデジタル画像信号に対して所定の記録方式に準拠した画像信号に変換処理する信号圧縮処理を施して記録形態の画像信号を生成して、これを画像記憶部１８へと出力する。また、画像処理部１５は、記録媒体１８ａに記録されている画像データを読み出して本デジタルカメラ１で取り扱い得る形態の画像信号に変換処理する信号伸長処理を施して、表示形態の画像信号を生成して、これを表示制御部１７へと出力する。
【００３５】
表示制御部１７は、上述したようにＣＰＵ１０の制御下で表示部２１等を制御する表示系の制御回路である。例えば、表示制御部１７は、画像処理部１５において信号処理がなされた画像データを受けて、その画像信号に基く画像を表示部２１に表示させる制御をおこなう。
【００３６】
また、表示制御部１７は、画像処理部１５において信号処理がなされた画像データを受けて、その画像データに基くサムネイル画像を生成（もしくは画像データに付随する画像関連情報から抽出）すると共に、各画像データに付随する画像関連情報のうちの特定の画像関連情報に基いて、上記生成（もしくは抽出）したサムネイル画像を所定の順番に配列した形態のサムネイル画面を作成し、このサムネイル画面を使用者が操作部２２を操作することにより生じる画面切換操作指令にしたがって表示部２１に順次切り換えて表示させる制御処理をおこなう。この場合における、サムネイル画面の切り換え表示制御は、例えばサムネイル画面をスクロール移動させながら表示させる制御等である。
【００３７】
さらに、表示制御部１７は、サムネイル画像を配列させるのに利用した特定の画像関連情報であって、サムネイル画面に表示される複数のサムネイル画像のうちのいずれかのサムネイル画像に対応する特定の画像関連情報を代表情報として、表示部２１に表示中のサムネイル画面上における一定の位置、例えば略中央部分を含む特定位置に固定表示させる制御をおこなう。
【００３８】
なお、ＣＰＵ１０は、表示部２１に表示中のサムネイル画面中におけるサムネイル画像についての特定の画像関連情報の変化を検出するサムネイル管理部１０ａを有している。
【００３９】
ここで、画像データに含まれる画像関連情報のうちサムネイル画面を構成するのに用いられる特定の画像関連情報としては、例えば撮影日時情報，撮影位置情報，アルバム情報，被写体情報等がある（表１，表２参照）。
【００４０】
画像記憶部１８における記録媒体１８ａとしては、通常の場合、例えば不揮発性半導体メモリ，フラッシュメモリ等からなる着脱式の記録媒体が主に適用されるが、それ以外にも、例えばＣＤ−ＲＯＭ，ＤＶＤ等の光学記録媒体，ＭＤ等の光磁気記録媒体，テープ媒体等の磁気記録媒体，ＩＣカード等の半導体メモリや、内蔵型のフラッシュメモリ等が用いられる。
【００４１】
本デジタルカメラ１に設けられ、操作部２２と連繋する各種の操作部材としては、本デジタルカメラ１の主電源のオンオフ操作をおこなう電源スイッチや、本デジタルカメラ１を再生モードで起動させるための再生モード起動ボタンや、撮影モードと再生モードの切り換えをおこなう動作モード切換ボタンや、撮影指示等を行うシャッターボタンや、上下左右方向に操作することで所定の指示信号を発生させる上下左右操作ボタン等、一般的なデジタルカメラに備わる操作ボタン類がある。このうち上下左右操作ボタンは、本実施形態においては、
上方向への指示信号を発生させるアップキー（ＵＰキー）と、
下方向への指示信号を発生させるダウンキー（ＤＮキー）と、
左方向への指示信号を発生させるレフトキーと、
右方向への指示信号を発生させるライトキーと、
の四つの方向指示キーによって構成される形態のものが適用されている。
【００４２】
このように構成される本デジタルカメラ１の作用のうち記録媒体１８ａに記録された画像データに基いて画像を再生するための再生モードで動作させる際の作用を以下に説明する。
【００４３】
図２は、本デジタルカメラを再生モードで動作させる際の処理の流れを示すフローチャートである。
【００４４】
まず、本デジタルカメラ１が電源オフ状態にあるとき、使用者によって本デジタルカメラ１の操作部材のうち電源スイッチのオン操作がなされると操作部２２より電源オン信号が生じ、同信号はＣＰＵ１０へと出力される。これを受けて本デジタルカメラ１は、ＣＰＵ１０の制御下で内部回路が電源オン状態となる。これにより、本デジタルカメラ１は撮影動作をおこない得る撮影モード状態で起動して撮影待機状態となる。
【００４５】
次いで、使用者によって本デジタルカメラ１の操作部材のうち動作モード切換スイッチが操作されると操作部２２より所定の動作モード切換信号が生じ、同信号はＣＰＵ１０へと出力される。これを受けてＣＰＵ１０は、本デジタルカメラ１の動作モードを現在設定されている撮影モードから再生モードへと切り換える処理をおこなう。これにより、本デジタルカメラ１は画像の再生表示動作をおこない得る再生モードで動作する状態に切り換わり、再生モード動作の処理が開始される（スタート）。
【００４６】
なお、上述の説明では、電源スイッチのオン操作と、動作モード切換スイッチの再生モードへの切換操作の二つの操作によって、本デジタルカメラ１を再生モードで起動する方法を示しているが、これとは別に、次に示す操作によっても、本デジタルカメラ１を再生モードで起動させることが可能である。
【００４７】
即ち、本デジタルカメラ１が電源オフ状態にあるとき、使用者によって本デジタルカメラ１の操作部材のうち再生モード起動ボタンのオン操作がなされると操作部２２より再生モード起動信号が生じ、同信号はＣＰＵ１０へと出力される。これを受けて本デジタルカメラ１は、ＣＰＵ１０の制御下で内部回路が電源オン状態となると同時に、再生モードで起動すべく再生モード動作の処理が開始される（スタート）。
【００４８】
このいずれかの方法により、再生モードでの動作処理が開始すると、まず、図２に示すステップＳ１において、ＣＰＵ１０は、操作部２２から生じる指示信号を監視してサムネイル画像の配列に用いる特定の画像関連情報、即ち配列情報を変更する旨の指示信号が生じているか否かの確認をおこなう。ここで、配列情報変更指示信号が確認されなかった場合には、次のステップＳ３の処理に進む。
【００４９】
ステップＳ３において、ＣＰＵ１０は、表示制御部１７に対して撮影日時情報を配列情報として扱うように指示する処理を実行する。その後、ステップＳ４の処理に進む。
【００５０】
一方、上述のステップＳ１の処理にて、配列情報変更指示信号が確認された場合には、ステップＳ２の処理に進む。
【００５１】
ステップＳ２において、ＣＰＵ１０は、上述のステップＳ１の処理にて操作部２２から生じた指示信号を受けて、変更指示により使用者が新たに選択した画像関連情報、即ち撮影日時情報以外の画像関連情報であって、例えば撮影位置情報，アルバム情報，被写体情報等のうちの一つを配列情報として扱うように表示制御部１７に対して指示する変更処理を実行する。その後、ステップＳ４の処理に進む。
【００５２】
ステップＳ４において、ＣＰＵ１０の制御により表示制御部１７は、画像記憶部１８の記録媒体１８ａに記録されている全ての画像データに付随する画像関連情報を参照し、各画像データから現在選択されている特定の画像情報（配列情報）を読み込み、ＲＡＭ１６に一時的に記憶させる処理を実行する。その後、ステップＳ５の処理に進む。
【００５３】
なお、本実施形態において、上記デジタルカメラ１の記録媒体１８ａに記録されている複数の画像データに付随する画像関連情報の例を表１に示す。
【表１】
0005379904.tif 000002
【００５４】
上記表１において、画像番号欄に示す情報は本デジタルカメラ１によって画像データが取得される都度、つまり撮影順に付される通し番号情報である。
【００５５】
撮影日時欄に示す情報は、本デジタルカメラ１によってその画像データが取得された時点の撮影年月日に関する撮影日時情報である。なお、表においては撮影日時情報は、年・月・日の情報としているが、撮影時点の時・分・秒に関する時間情報も含まれている。
【００５６】
撮影位置欄に示す情報は、対応する画像の撮影がなされたときの撮影地の地名等を表す撮影位置情報である。この撮影位置情報は、撮影地において使用者によりその都度入力されるような情報であってもよいし、グローバルポジショニングシステム（Global Positioning System；ＧＰＳと略記する）を用いて取得した情報等であってもよい。
【００５７】
アルバム欄に示す情報は、使用者によって任意に設定した条件に基いて分類される一群の画像グループを総称するグループ名称の情報であり、例えば本デジタルカメラ１におけるアルバム機能を利用して作成されるアルバム名称等の情報（アルバム情報という）である。
【００５８】
図２に戻って、ステップＳ５において、ＣＰＵ１０の制御により表示制御部１７は、上述のステップＳ４の処理にて読み込んだ特定の画像情報（配列情報）に基いてサムネイル画像を配列するための順番を設定する処理を実行する。その後、ステップＳ６の処理に進む。
【００５９】
ステップＳ６において、ＣＰＵ１０は、操作部２２から生じる指示信号を監視して、現在の再生モードの設定状態が、サムネイル画面を表示させるサムネイル再生モードであるか否かの確認を行う。ここで、サムネイル再生モードが設定されていることが確認された場合には、ステップＳ８の処理に進む。また、サムネイル再生モードではないことが確認された場合には、ステップＳ７の処理に進み、このステップＳ７において、ＣＰＵ１０は、所定の一コマ再生モードの処理シーケンス（後述する。図３参照）を実行する。
【００６０】
上述のステップＳ６の処理にて、サムネイル再生モードであることが確認されてステップＳ８の処理に進むと、このステップＳ８において、ＣＰＵ１０の制御により表示制御部１７は、代表情報付きのサムネイル画面を生成する処理を実行する。
【００６１】
即ち、この処理ステップにおいて表示制御部１７は、記録媒体１８ａに記録されている画像データに基いてサムネイル画像を生成（もしくは画像データに付随する画像関連情報に含まれるサムネイル画像を抽出）し、ＲＡＭ１６に一時的に記憶させる。
【００６２】
次いで、表示制御部１７は、これらのサムネイル画像について、上述のステップＳ５の処理にて設定した順番によって配列する。この場合において、サムネイル画像の配列は、例えば左上から横方向に順に並べ、横三画像若しくは横四画像等で区切って、次の行の左から同様に並べるといった形態とする。
【００６３】
このようにして複数のサムネイル画像が配列された形態の画像の最初の所定の領域、即ち縦三画像×横三画像を含む領域若しくは縦四画像×横四画像を含む領域を一画面分のサムネイル画面の領域とする。この一画面分の領域は、表示部２１の表示画面中における全体領域若しくは所定の領域を使って表示することができるように設定される。
【００６４】
そして、表示制御部１７は、さらにこの一画面分の領域内の一定の位置、例えば略中央部分の特定位置に、代表情報を表す表示（文字等）を重畳させて固定表示させる処理をおこなう。このような形態で作成された画面をサムネイル画面というものとする。
【００６５】
この場合において、表示制御部１７は、サムネイル画像を配列させるのに利用した特定の画像関連情報であって、サムネイル画面に含まれる複数のサムネイル画像のうち特定の位置、例えば画面左上隅位置に配置されるサムネイル画像に対応する特定の画像関連情報を、代表情報として適用するよう制御する。その後、ステップＳ９の処理に進む。
【００６６】
ステップＳ９において、ＣＰＵ１０の制御により表示制御部１７は、上述のステップＳ８にて生成したサムネイル画面を表示部２１を用いて表示する処理を実行する。その後、ステップＳ１０の処理に進む。
【００６７】
ここで、本デジタルカメラ１において生成されるサムネイル画面について、具体例を挙げて説明する。
【００６８】
図４は、本デジタルカメラにおいて表示部に表示されるサムネイル画面の表示例を示す図である。このうち、図４（Ａ）は、ステップＳ８の処理にて生成される代表情報付きのサムネイル画面のうちの最初のサムネイル画面を表示している状態を示す。図４（Ｂ）は、図４（Ａ）の状態から矢印Ｓ方向へ向けてスクロール移動中のサムネイル画面を示す。図４（Ｃ）は、図４（Ｂ）の状態から矢印Ｓ方向へ向けてさらにスクロール移動中のサムネイル画面を示す。図４（Ｄ）は、図４（Ｃ）の状態から矢印Ｓ方向へ向けてさらにスクロール移動させたときに画像関連情報に変化が検出されてスクロール移動が一時停止したときの状態のサムネイル画面の表示例である。
【００６９】
図４（Ａ）〜図４（Ｄ）を用いて説明する以下の表示例では、サムネイル画像を配列するのに用いる特定の画像関連情報（配列情報）として撮影日時情報を利用した例を示している。また、本例示では、サムネイル画像の配列は横三画像とし、一画面分のサムネイル画面が縦三画像×横三画像の三行三列の形態で表示されるようにしている。
【００７０】
このような条件下で生成されるサムネイル画面において、上述のステップＳ９の処理により表示部２１に表示される最初の一画面は、図４（Ａ）に示すようになる。
【００７１】
図４（Ａ）において、太枠線で示す符号２１ａは、表示部２１の全表示領域に相当しており、よって一画面分のサムネイル画面をあらわしている。使用者には、この符号２１ａで示す範囲内の領域のみが観察し得る領域となっている。つまり、符号２１ａの太枠外の部分であって、図４（Ａ）の符号２１ｅで示される領域は、上述のステップＳ５の処理によって特定の画像関連情報（配列情報）に基いて配列されたサムネイル画像の一部ではあるが、この図４（Ａ）に示す時点では、符号２１ｅで示される領域は、表示部２１に表示されていない状態となっている。なお、この領域にあるサムネイル画像も、今後の表示画面の切り換えによって表示され得るものである。
【００７２】
また、符号２１ｂは、画像データの画像番号を示している。この画像番号は、各サムネイル画像の左上隅の所定の位置に表示されている。
【００７３】
符号２１ｃは、代表情報の表示領域を示している。本例においては、上述の如く代表情報として撮影日時情報を用いているので、この符号２１ｃの領域には、例えば「２００７／８／８」といった年月日を表す文字列が表示されている。そして、上述したように代表情報は、サムネイル画面の特定位置に配置されるサムネイル画像に対応する撮影日時情報が適用される。つまり、図４（Ａ）の表示例では、符号２１ｄで示す左上隅領域に配置されるサムネイル画像に対応する撮影日時情報が代表情報として適用されている。
【００７４】
したがって、図４（Ａ）の符号２１ｄの領域に表示されるサムネイル画像は、画像番号１の画像データに対応するものであり、この画像データに対応する撮影日時情報は、表１に示す如く「２００７／８／８」である。
【００７５】
これによって、図４（Ａ）に示すサムネイル画面では、その画面上の特定位置、即ち略中央部分の符号２１ｃで示す領域に、代表情報としての撮影日時情報「２００７／８／８」が表示されているわけである。なお、この図４（Ａ）の表示例では、サムネイル画像１〜９を三行三列で配列した形態のサムネイル画面を表示した状態で停止している。
【００７６】
図２に戻って、上述のステップＳ８の処理（代表情報付きサムネイル画面作成処理）にて作成されたサムネイル画面がステップＳ９の処理にて表示部２１に表示されると（図４（Ａ）の表示）、ＣＰＵ１０は、次のステップＳ１０にて、操作部２２から生じる指示信号を監視して表示切換指示信号が検出されたか否かの確認を行う。この確認は、表示中のサムネイル画面のスクロール移動指示がなされたか否かの確認である。
【００７７】
上記表示切換指示信号は、例えば操作部材のうちの上下左右操作ボタンであって、そのうちのアップキー（ＵＰキー）またはダウンキー（ＤＮキー）のいずれかを操作することで生じる指示信号である。
【００７８】
つまり、本デジタルカメラ１においては、ＵＰキーまたはＤＮキーを操作することによって、表示中のサムネイル画面の下方向または上方向へのスクロール移動の指示を行なうことができるようになっている。
【００７９】
ここで、表示切換指示信号が検出されて、ＵＰキーまたはＤＮキーがオン操作されたことが確認された場合には、ステップＳ１１の処理に進む。また、表示切換指示信号（ＵＰキーまたはＤＮキーのオン信号）が検出されなかった場合には、ステップＳ１６の処理に進む。
【００８０】
ステップＳ１１において、ＣＰＵ１０は、上述のステップＳ１０の処理にて検出されたＵＰキーまたはＤＮキーの押圧力を確認する。
【００８１】
この場合において、検出されたＵＰキーまたはＤＮキーの押圧力が大であることが確認された場合には、ステップＳ１２の処理に進む。また、検出されたＵＰキーまたはＤＮキーの押圧力が大ではなく、その押圧力が小であることが確認された場合には、ステップＳ１３の処理に進む。
【００８２】
ここで、本デジタルカメラに適用されているＵＰキー及びＤＮキーはいずれもが二段階押圧式のスイッチからなるものとしている。これに伴い、ＣＰＵ１０は、ＵＰキーまたはＤＮキーの第一段目の押圧操作（押圧力小）により操作部２２から生じる第一信号Ｌと、第二段目の押圧操作（押圧力大）により操作部２２から生じる第二信号Ｈとを、それぞれ区別して検出することができるようになっている。
【００８３】
そして、この第一信号Ｌと第二信号Ｈとは、サムネイル画面のスクロール速度の指示信号にもなっている。即ち、使用者は、ＵＰキー及びＤＮキーの第一段目の押圧操作と第二段目の押圧操作とを使い分けることで、サムネイル画面のスクロール速度を切り換えて実行することができるようになっている。
【００８４】
具体的には、ＣＰＵ１０は、第一信号Ｌを検出した場合には、表示制御部１７を制御してサムネイル画面のスクロール速度を第一の速度（低速度）でスクロール移動させる。一方、ＣＰＵ１０は、第二信号Ｈを検出した場合には、表示制御部１７を制御してサムネイル画面のスクロール速度を第二の速度（高速度）でスクロール移動させる。
【００８５】
ここで、図７は、図４（Ａ）〜図４（Ｄ）の表示変化に対応する第一信号Ｌ及び第二信号Ｈの出力状態を示す図である。
【００８６】
上述したように、第一信号Ｌが出力されたときにはスクロール速度が低速度となり、第二信号Ｈが出力されたときにはスクロール速度が高速度となる。図７においては、第一信号Ｌの出力期間は画像番号１〜４と画像番号１０〜１３とに対応し、第二信号Ｈの出力期間は画像番号４〜１０に対応している。このことは、以下に示すことを意味している。
【００８７】
即ち、図４（Ａ）に示す状態ではサムネイル画面は停止状態にある。このとき、画像番号１のサムネイル画像は、表示部２１のサムネイル画面の左上隅に配置されている。
【００８８】
この図４（Ａ）の状態において、使用者により例えばＤＮキーの第一段目の押圧操作がなされて操作部２２より第一信号Ｌが出力されると、これを受けてＣＰＵ１０は、表示制御部１７を制御して第一の速度（低速度）によってサムネイル画面をスクロール移動させる動作処理を開始させる。これにより、表示部２１のサムネイル画面の表示は、図４（Ｂ）の状態へと移行する。その間、使用者によるＤＮキーの第一段目の押圧操作は継続しているものとする。
【００８９】
なお、この図４（Ｂ）に示す状態は、サムネイル画面のスクロール移動中における途中状態を示すものであって、ＤＮキーの押圧操作が継続している間は、サムネイル画面はそのスクロール移動を継続している。つまり、説明の便宜上、図４（Ｂ）の状態を取り出して示しているだけであり、実際に図４（Ｂ）の状態でスクロール移動が停止していることを示しているわけではない。
【００９０】
この図４（Ｂ）に示す状態では、画像番号４のサムネイル画像が表示部２１のサムネイル画面の左上隅の位置に配置される直前の状態となっている。したがって、このときの代表情報は、図４（Ａ）の状態で表示される情報（画像番号１に対応する撮影日時情報）と同じ撮影日時情報であって、画像番号４に対応する撮影日時情報、即ち「２００７／８／８」（表１参照）が符号２１ｃの領域に継続して固定表示されている。
【００９１】
こうして、図４（Ａ）の状態にあるとき使用者によるＤＮキーの押圧操作がなされて、サムネイル画面のスクロール移動が開始され、かつこのＤＮキーの押圧操作が継続している間はサムネイル画面のスクロール移動が継続される。
【００９２】
続いて、図４（Ｂ）の状態を経た後の時点で、使用者によるＤＮキーの第２段目の押圧操作がなされたものとする。すると、図７に示すように、操作部２２からの指示信号は、第一信号Ｌから第二信号Ｈへとは切り換わる。これを受けてＣＰＵ１０は、表示制御部１７を制御してサムネイル画面のスクロール速度を第一の速度（低速度）から第二の速度（高速度）へと切り換える。これにより、表示部２１のサムネイル画面のスクロール速度が高速になる。そして、表示部２１のサムネイル画面の表示は、図４（Ｂ）の表示状態から図４（Ｃ）の状態へと移行する。その間も、使用者によるＤＮキーの第二段目の押圧操作は継続しているものとする。
【００９３】
この図４（Ｃ）に示す状態では、画像番号１０のサムネイル画像が表示部２１のサムネイル画面の左上隅の位置に移動する直前の状態となっている。このときの代表情報も、図４（Ａ），図４（Ｂ）の状態で表示される情報（画像番号１，４に対応する撮影日時情報）と同じ撮影日時情報であって、画像番号１０に対応する撮影日時情報、即ち「２００７／８／８」（表１参照）が符号２１ｃの領域に継続して固定表示されている。
【００９４】
そして、使用者によるＤＮキーの押圧操作が継続しているので、スクロール移動も継続される。つまり、図４（Ｃ）に示す状態もまた、図４（Ｂ）と同様に、サムネイル画面のスクロール移動中における途中状態を示している。
【００９５】
この図４（Ｃ）の状態を経た後の時点において、使用者によるＤＮキーの押圧操作が弱められることで、当該ＤＮキーの第二段目から第一段目の押圧操作へと切り換え操作がなされたものとする。すると、図７に示すように、操作部２２からの指示信号は第二信号Ｈから第一信号Ｌへと切り換わる。これを受けてＣＰＵ１０は、表示制御部１７を制御してサムネイル画面のスクロール速度を第二の速度（高速度）から第一の速度（低速度）へと切り換える。これにより、表示部２１のサムネイル画面のスクロール速度は低速度になる。そして、表示部２１のサムネイル画面の表示は、図４（Ｃ）の表示状態から図４（Ｄ）の状態へと移行する。その間も使用者によるＤＮキーの第一段目の押圧操作は継続しているものとする。
【００９６】
この図４（Ｄ）に示す状態では、画像番号１３のサムネイル画像が表示部２１のサムネイル画面の左上隅の位置に配置された状態となっている。このとき同時に、画像番号２１のサムネイル画像が表示部２１のサムネイル画面の最下行のいずれかの位置に配置された状態となっている。この画像番号２１の画像データの撮影日時情報は、表１に示すように「２００７／８／２０」となっている。つまり、この画像番号２１の画像データ以降と、それより前とでは、撮影日時情報に変化が生じていることになる。そのために、図４（Ｄ）の表示では、画像番号２１の表示を符号２１ｅで示すように識別マークを付して表示している。この識別マークの例として、図４（Ｄ）では、画像番号を示す数字を○で囲った丸数字を用いている。
【００９７】
このように、サムネイル画面のスクロール移動中において、表示中のサムネイル画面に含まれるサムネイル画像の特定の画像関連情報（本表示例においては撮影日時情報）に変化があった場合には、表示制御部１７は、使用者によるスクロール移動の指示操作（ここで説明する例示ではＤＮキーの押圧操作）が継続していても、サムネイル画面のスクロール移動の継続を一時停止するように制御する（詳細は後述する。図２のステップＳ１３の処理参照）。
【００９８】
つまり、図４（Ｄ）に示す状態は、サムネイル画面のスクロール移動が一時停止した状態を示しているのである。
【００９９】
図２に戻って、上述のステップＳ１１にて押圧力が大（第二信号Ｈ）であることが確認されてステップＳ１２の処理に進むと、このステップＳ１２において、ＣＰＵ１０の制御により表示制御部１７は、表示駆動部２０を制御して、サムネイル画面のスクロール速度と表示切換時間とが所定の短時間となるように設定し、その後、ステップＳ１３の処理に進む。
【０１００】
一方、上述のステップＳ１１にて押圧力が小（第一信号Ｌ）であることが確認されてステップＳ１３の処理に進むと、このステップＳ１３において、ＣＰＵ１０の制御により表示制御部１７は、表示部２１に表示中のサムネイル画面に含まれるサムネイル画像の特定の画像関連情報、即ち配列情報（本例示では撮影日時情報）が表示中の代表情報と異なる情報が有るか否かの確認をおこなう。
【０１０１】
つまり、サムネイル画面のスクロール移動中において、表示中のサムネイル画面を構成する複数のサムネイル画像の特定の画像関連情報（配列情報；撮影日時情報）に変化があったか否かの確認をおこなう。ここで特定の画像関連情報の変化は、ＣＰＵ１０のサムネイル管理部１０ａによって検出される。
【０１０２】
さらに換言すれば、表示制御部１７は、サムネイル画面に表示されるサムネイル画像の特定の画像関連情報（配列情報）が一定範囲内で連続する場合にサムネイル画面を連続的に切り換え表示させる制御をおこなっている（上述の図４（Ａ）の表示から図４（Ｄ）の表示に至る間の制御）一方、特定の画像関連情報（配列情報）に一定範囲以上の変化があった場合には、サムネイル画面の表示切り換えを一時停止させるよう制御する。つまり、図４（Ｄ）に示すように、サムネイル画面のスクロール移動中に撮影日時情報に変化があった場合には、使用者によるスクロール移動の指示信号（ＤＮキーの押圧操作）が継続していてもスクロール移動の継続を一時停止させるように、表示制御部１７は制御している。
【０１０３】
具体的には、上述したように、図４（Ｃ）の状態からスクロール移動が継続されており、やがて図４（Ｄ）に示す状態になったとき、つまり、表示部２１の表示範囲内にそれまでの撮影日時情報とは異なる撮影日時情報を持つ画像番号２１が表われたとき、その特定の画像関連情報（配列情報；撮影日時情報）が、表示中の代表情報に対して変化があったと判断される。
【０１０４】
このステップＳ１３の処理にて、当該情報に変化があった（異なる情報が有る）ことがサムネイル管理部１０ａによって確認された場合には、ステップＳ１６の処理に進む。一方、サムネイル管理部１０ａによって当該情報に変化がない（異なる情報はない）ことが確認された場合には、ステップＳ１４の処理に進む。
【０１０５】
ステップＳ１４において、ＣＰＵ１０は、自己の内部に有するタイマー（図示せず）を作動させて経過時間をカウントし、所定の時間が終了したら、次のステップＳ１５の処理に進む。
【０１０６】
ステップＳ１５において、ＣＰＵ１０は、操作部２２からの指示信号を監視して動作の終了を指示する信号が生じたか否かの確認を行う。ここで、終了指示が確認された場合には、一連の処理を終了する（エンド）。また、終了指示が確認されない場合には、上述のステップＳ８の処理に戻り以降の処理を繰り返す。
【０１０７】
一方、上述のステップＳ１０の処理にて表示切換指示信号（ＤＮキーのオン信号）が検出されなかった場合、及び上述のステップＳ１３の処理にて代表情報に変化があったことが確認された場合には、いずれの場合もステップＳ１６の処理に進む。
【０１０８】
すると、このステップＳ１６において、ＣＰＵ１０は、表示制御部１７を制御して実行中のサムネイル画面のスクロール移動を一時的に停止させる処理を実行させる。これによって、表示部２１の表示状態は図４（Ｄ）に示す一時停止状態になる。その後、ステップＳ１７の処理に進む。
【０１０９】
ステップＳ１７において、ＣＰＵ１０は、操作部２２からの指示信号を監視して表示切換指示信号が検出されたか否かの確認を行う。この確認は、一時停止中のサムネイル画面のスクロール移動を続行させる指示信号の有無の確認である。
【０１１０】
つまり、上述のステップＳ１６の処理にてサムネイル画面のスクロール移動が一時的に停止されている状態にあるときに、この一時停止状態を解除するための操作として、使用者は、まず操作中のＤＮキーの押圧操作を一旦解除してオフ信号を生じさせた後、すぐに同ＤＮキーの押圧操作をおこなって再度スクロール移動のオン信号を発生させる操作をおこなうのである。
【０１１１】
このようにすれば、ＤＮキーのオフ信号及びオン信号が順に発生する。この一連の指示信号を受けてＣＰＵ１０は、表示制御部１７を制御してスクロール移動の一時停止状態の解除と、同スクロール移動動作の再開を実行させる。
【０１１２】
なお、ここで操作する操作部材はＵＰキーでもよいのであるが、説明が煩雑化するため、以下の説明においてはＤＮキーを操作した場合の作用のみを述べるに留める。ＵＰキーを操作した場合には、スクロール方向が異なるのみで、その作用はＤＮキーを操作した場合と同様である。また、図４（Ａ）〜図４（Ｄ）等で示す矢印Ｓは、ＤＮキーを操作したときのサムネイル画面のスクロール方向を示している。
【０１１３】
したがって、このステップＳ１７の処理において、ＣＰＵ１０は、表示切換指示信号（ＤＮキーのオフ信号及びオン信号）が確認されるまで待機し、同信号が確認されると、ステップＳ１５の処理に進む。以降同様の処理が行われる。
【０１１４】
ここで、図４（Ｄ）の一時停止状態にあるときに、使用者がＤＮキーのオフ操作（押圧解除）とオン操作（再度の押圧操作）とを続けて行った場合の作用を、図５（Ａ）〜図５（Ｃ）を用いて以下に説明する。
【０１１５】
図５は、スクロール動作中に配列情報の変化があり一時停止状態を解除した後の動作を示す表示例である。このうち、図５（Ａ）は図４（Ｄ）の一時停止状態から所定の指示信号を受けたときのサムネイル画像の画面内における移動軌跡を示す図である。図５（Ｂ）は、図５（Ａ）の移動軌跡に沿ってサムネイル画像が移動している途中の状態を示す表示例である。図５（Ｃ）は図５（Ａ）の移動軌跡に沿って移動するサムネイル画像が再度一時停止した状態の表示例である。
【０１１６】
上述したように、ＤＮキーの継続操作によるサムネイル画面のスクロール移動中にサムネイル画面中のサムネイル画像の配列情報に変化があったときには、スクロール移動動作は一時停止状態になり、表示部２１の表示は、図４（Ｄ）に示すような状態となる。このとき、使用者は、スクロール移動動作の一時停止状態を解除するための上記操作を行う。即ち、継続中のＤＮキーの押圧操作を解除（ＤＮキーオフ信号）した後、すぐにＤＮキーの押圧操作を実行（ＤＮキーオン信号）する一連の操作である。
【０１１７】
このような操作によって生じる指示信号、即ちＤＮキーのオフ信号及びオン信号を受けて、ＣＰＵ１０は、表示制御部１７を制御して図５（Ａ）〜図５（Ｃ）で示す動作を実行する。
【０１１８】
なお、図４（Ｄ）の状態（一時停止状態）が上記操作による上記指示信号を受けて解除され後、図５（Ａ）の表示状態となった時点から図５（Ｂ）の状態を経て図５（Ｃ）の状態となるまでの間、使用者によるＤＮキーの押圧操作は継続しているものとする。
【０１１９】
まず、上記一時停止解除指示信号を受けて、ＣＰＵ１０による制御下で表示制御部１７は、変化のあったサムネイル画像の配列情報（撮影日時情報）「２００７／８／２０」を代表情報として扱い、これを図５（Ａ）に示すように、表示部２１の画面上の特定の位置における領域２１ｃに表示させる。この代表情報の表示は図５（Ａ）の状態から図５（Ｃ）の状態に至るまで変化せず固定表示される。
【０１２０】
次いで、撮影日時情報が変化する最初のサムネイル画像、即ち図５（Ａ）で示す画像番号２１のサムネイル画像を、図５（Ａ），図５（Ｂ）に示す移動軌跡Ｇに沿って移動させて、図５（Ｃ）に示す位置、即ち表示部２１の表示画面の左上隅の所定の位置に配置する。これに伴って、画像番号２１以降の画像も所定の配列順で配置されるよう移動させる。これにより、画面左上隅位置には、変化した代表情報に対応する画像番号２１のサムネイル画像が表示される。
【０１２１】
本表示例では、表１に示すように、撮影日時情報は、画像番号２６の画像データにおいて再度変化している。つまり、図５（Ｃ）に示すサムネイル画面が表示された状態においては、表示中の代表情報「２００７／８／２０」とは異なる撮影日時情報「２００７／８／３１」を持つ画像データ（画像番号２６）のサムネイル画像が、表示中のサムネイル画面中に含まれるようになっている。そのために、図５（Ｃ）の表示では、撮影日時情報の異なる画像番号２６以降の表示を符号２１ｅで示すように識別マークを付して表示している。この識別マークの例として、図５（Ｃ）では、図４（Ｄ）と同様に画像番号を示す数字を○で囲った丸数字を用いている。
【０１２２】
したがって、これにより、図５（Ｃ）に示す表示になったとき、撮影日時情報の異なるサムネイル画像が現われることによりサムネイル画像の配列情報が変化することから、表示部２１の表示画面は再度一時停止状態になる。この状態が図５（Ｃ）に示す表示である。
【０１２３】
この状態を解除するには、上述と同様に、ＤＮキーの所定の操作、即ち押圧操作の解除（オフ信号）及び再度の押圧操作（オン信号）の一連の操作を行う。すると、図６（Ａ），図６（Ｂ）で示す動作が実行される。
【０１２４】
図６は、再度のスクロール動作一時停止を解除した後の動作を示す表示例である。このうち、図６（Ａ）は図５（Ｃ）の一時停止状態から再度所定の指示信号を受けたときのサムネイル画像の画面内の移動軌跡を示す図である。図６（Ｂ）は、図６（Ａ）の移動軌跡に沿ってサムネイル画像が移動した後、サムネイル画像が再度一時停止した際の表示例である。
【０１２５】
上述したように、図５（Ｃ）に示す一時停止状態において、使用者により動作一時停止指示信号の解除操作がおこなわれると、これを受けてＣＰＵ１０は、表示制御部１７を制御して、図６（Ａ），図６（Ｂ）で示す動作を実行する。なお、この場合も、図５（Ｃ）の状態（一時停止状態）が上記指示信号を受けて解除された後、図６（Ａ）の状態となった時点から図６（Ｂ）の状態となるまでの間、使用者によるＤＮキーの押圧操作は継続しているものとする。
【０１２６】
まず、上記一時停止指示信号を受けて、ＣＰＵ１０による制御下で表示制御部１７は、表示中の代表情報に代えて変化のあったサムネイル画像の撮影日時情報「２００７／８／３１」を代表情報として扱い、これを図６（Ａ）に示すように、表示部２１の画面上の特定位置２１ｃに表示する。この代表情報の表示は図６（Ａ）の状態から図６（Ｂ）の状態に至るまで変化せず固定表示される。
【０１２７】
次いで、撮影日時情報が変化する最初のサムネイル画像、即ち図６（Ａ）で示す画像番号２６のサムネイル画像を、同図６（Ａ）に示す移動軌跡Ｇに沿って移動させて、これを図６（Ｂ）に示すように、表示部２１の表示画面の左上隅の所定の位置に配置する。これに伴って、画像番号２６以降の画像も配列順に配置されるよう移動させる。これにより、画面左上隅位置には、変化した代表情報に対応する画像番号２６のサムネイル画像が表示される。
【０１２８】
この図６（Ｂ）の状態においても、表１に示すように、撮影日時情報が画像番号２８の画像データにおいて再度変化している。つまり、図６（Ｂ）に示すサムネイル画面が表示された状態においては、表示中の代表情報「２００７／８／３１」とは異なる撮影日時情報「２００７／９／２５」を持つ画像データのサムネイル画像（画像番号２８）が、表示中のサムネイル画面中に含まれている。したがって、図６（Ｂ）の表示になったときには、表示画面は再度一時停止状態になる。
【０１２９】
図６（Ｂ）の表示でも、撮影日時情報の異なる画像番号２８以降の表示を符号２１ｅで示すように識別マークを付して表示している。この識別マークの例として、図６（Ｂ）では、図４（Ｄ），図５（Ｃ）と同様に画像番号を示す数字を○で囲った丸数字を用いている。
【０１３０】
これ以降の作用、即ちスクロール移動動作の一時停止状態を解除し、スクロール移動を再開させる場合の作用、及びさらに異なる配列情報（撮影日時情報）を持つ画像データのサムネイル画像が表われた場合の作用は、以下同様である。
【０１３１】
次に、本デジタルカメラ１における一コマ再生モードの処理シーケンスを以下に説明する。
【０１３２】
上述したように、図２のフローチャートのステップＳ６において、現在の再生モードの設定状態がサムネイル再生モードではないことが確認されてステップＳ７の処理に進むと、このステップＳ７において、ＣＰＵ１０は、所定の一コマ再生モードの処理シーケンスを実行する。
【０１３３】
図３は、本デジタルカメラにおける一コマ再生モードの処理シーケンスの詳細を示すフローチャートである。
【０１３４】
まず、ステップＳ２１において、ＣＰＵ１０は、表示制御部１７を制御して代表情報付きの画面を作成する処理を実行する。その後、ステップＳ２２の処理に進む。
【０１３５】
ステップＳ２２において、ＣＰＵ１０は、上述のステップＳ２１の処理にて作成した画像を表示部２１の表示画面上に表示する処理を実行する。その後、ステップＳ２３の処理に進む。
【０１３６】
このステップＳ２１〜ステップＳ２２の処理は、次のような処理である。
【０１３７】
即ち、ＣＰＵ１０は、まず表示制御部１７を制御して記録媒体１８ａに記録されている複数の画像データの画像関連情報を参照し、例えば最初の撮影日時情報を有する画像データをＲＡＭ１６に読み出す。読み出された画像データは、画像処理部１５において伸張処理や表示形態への変換処理等が施された後、表示制御部１７でその画像データに対応する撮影日時情報を表示画像範囲内の特定の固定領域に重畳させた形態の画像を作成する（ステップＳ２１の処理）。
【０１３８】
こうして作成された表示用の画像信号は、表示駆動部２０を介して表示部２１へと出力される。これを受けて表示部２１は、入力された画像信号に基く画像を、その表示画面の全領域を用いて表示する。つまり、表示部２１には一コマ分の画像が表示されることになる。この場合、表示されている画像には、対応する特定の画像関連情報のうち例えば撮影日時情報が画面中の特定の位置に固定表示されている（ステップＳ２２の処理）。
【０１３９】
図８は、本デジタルカメラおいて表示部に表示される一コマ画像表示の表示例であり、一コマ画像表示の際のスクロール移動時の作用を示す図である。
【０１４０】
この図８において、符号２１Ａで示す状態が、一コマ再生モードの開始直後の表示部２１に表示される画像の表示例である。この場合において、画像は表示部２１の略全表示領域２１ｄを使って表示され、その表示画面中の所定の位置２１ｂ，２１ｃのそれぞれに、表示中の画像に対応する画像番号「１」と、表示中の画像に関連する画像関連情報のうち撮影日時情報「２００７／８／８」とが表示されている。
【０１４１】
図３に戻って、ステップＳ２３において、ＣＰＵ１０は、操作部２２から生じる指示信号を監視して表示切換指示信号（例えばＵＰキーまたはＤＮキーのオン信号）が検出されたか否かの確認を行う。この確認は、表示中の画像の表示切り換え指示がなされたか否かの確認である。
【０１４２】
ここで、表示切換指示信号が検出されて、ＵＰキーまたはＤＮキーがオン操作されたことが確認された場合には、ステップＳ２４の処理に進む。また、表示切換指示信号（ＵＰキーまたはＤＮキーのオン信号）が検出されなかった場合には、ステップＳ２９の処理に進む。
【０１４３】
ステップＳ２４において、ＣＰＵ１０は、上述のステップＳ２３の処理にて検出されたＵＰキーまたはＤＮキーの押圧力を確認する。
【０１４４】
この場合において、検出されたＵＰキーまたはＤＮキーの押圧力が大（第二信号Ｈ）であることが確認された場合には、ステップＳ２５の処理に進む。また、検出されたＵＰキーまたはＤＮキーの押圧力が大ではなく、その押圧力が小（第一信号Ｌ）であることが確認された場合には、ステップＳ２６の処理に進む。
【０１４５】
上述のステップＳ２４にて押圧力が大（第二信号Ｈ）であることが確認されてステップＳ２５の処理に進むと、このステップＳ２５において、ＣＰＵ１０の制御により表示制御部１７は、表示駆動部２０を制御してサムネイル画面のスクロール速度と表示切換時間とが所定の短時間となるように設定し、その後、ステップＳ２６の処理に進む。
【０１４６】
ステップＳ２６において、ＣＰＵ１０の制御により表示制御部１７は、現時点で表示部２１に表示中の画像が、その代表情報に対応するグループの最後の画像であるか否かの確認をおこなう。
【０１４７】
つまり、一コマ画像再生の連続表示中において、表示中の画像の特定の画像関連情報（報撮影日時情報）が次に表示される画像において変化するか否かの確認をおこなう。
【０１４８】
換言すれば、表示制御部１７は、使用者によるＤＮキーの押圧操作により生じる表示切換信号（ＤＮキーのオン信号）が継続している間、画像の特定の画像関連情報が一定範囲内で同一の場合には画像を連続的に切り換え表示させる制御をおこない、特定の画像関連情報に一定範囲以上の変化があったとき、画像の表示切り換えを一時停止させるよう制御する。そのために、ＣＰＵ１０のサムネイル管理部１０ａは、現在表示中の画像と次に表示すべき画像のそれぞれの画像関連情報を監視しており、現在表示中の画像が、表示中の代表情報に対応するグループの最後の画像であるか否か、次に表示される画像から特定の画像関連情報（撮影日時情報）が変化するか否かの検出をおこなっている。
【０１４９】
具体的には、図８の符号２１Ａの表示から同図符号２１Ｂの表示を経て同図符号２１Ｃの表示状態に至ったとき、サムネイル管理部１０ａは、撮影日時情報が次のコマで変化することを検出する。この場合には、ＣＰＵ１０は、使用者による表示切換指示信号（ＤＮキーの押圧操作によるオン信号）が継続していても画像の連続切り換え表示の継続を一時停止させるように表示制御部１７を制御する。
【０１５０】
図３のステップＳ２６において、ＣＰＵ１０は、記録媒体１８ａに記録されている画像データの画像関連情報を参照して、現在表示中の画像に対応する特定の画像関連情報（撮影日時情報）が表示中の代表情報に対応するグループの最後の画像であることが確認された場合には、ステップＳ２９の処理に進む。一方、最後の画像ではなく、次に表示される画像の特定の画像関連情報が代表情報と同じであることが確認された場合には、ステップＳ２７の処理に進む。
【０１５１】
ステップＳ２７において、ＣＰＵ１０は、自己の内部に有するタイマー（図示せず）を作動させて経過時間をカウントし、所定の時間が終了したら、次のステップＳ２８の処理に進む。
【０１５２】
ステップＳ２８において、ＣＰＵ１０は、操作部２２からの指示信号を監視して動作の終了を指示する信号が生じたか否かの確認を行う。ここで、終了指示が確認された場合には、一連の処理を終了する（エンド）。また、終了指示が確認されない場合には、上述のステップＳ２１の処理に戻り。次の画像を表示するために、以降同様の処理を繰り返す。
【０１５３】
一方、上述のステップＳ２３の処理にて表示切換指示信号（ＵＰキーまたはＤＮキーのオン信号）が検出されなかった場合、及び上述のステップＳ２６の処理にて代表情報に対応するグループの最後の画像であることが確認された場合には、いずれの場合もステップＳ２９の処理に進む。
【０１５４】
このステップＳ２９において、ＣＰＵ１０は、表示制御部１７を制御して実行中の画像の連続切換表示を一時的に停止させる処理を実行させる。これによって、表示部２１の表示状態は図８の符号２１Ｃで示す一時停止状態になる。その後、ステップＳ３０の処理に進む。
【０１５５】
ステップＳ３０において、ＣＰＵ１０は、操作部２２からの指示信号を監視して表示切換指示信号が検出されたか否かの確認を行う。この確認は、一時停止中の画像の連続切換表示を続行させる指示信号の有無の確認である。
【０１５６】
つまり、上述のステップＳ２９の処理にて画像の連続切換表示が一時的に停止されている状態にあるときに、この一時停止状態を解除するための操作が、使用者によりなされる。この操作は、上述のサムネイル再生モードのスクロール移動のときと同様に、操作中のＤＮキーの押圧操作を解除してオフ信号を生じさせた後、すぐに同ＤＮキーの押圧操作によって再度連続切換表示のオン信号を発生させる操作である。
【０１５７】
このようにしてＤＮキーのオフ信号及びオン信号を順に発生させ、この一連の指示信号を受けてＣＰＵ１０は、表示制御部１７を制御して画像の連続切換表示の一時停止状態の解除と、同表示動作の再開を実行させる。
【０１５８】
なお、ここで操作する操作部材はＵＰキーでもよいのは、上述のサムネイル再生モードのスクロール移動の場合と同様である。
【０１５９】
また、一コマ再生処理の場合の表示画面のスクロール移動方向としては、ＵＰキー及びＤＮキーの操作方向に合わせて上下方向とするのが自然であるが、一コマ再生の場合には、この上下方向のスクロール移動に限ることはなく、例えば左右方向にスクロール移動させるようにしてもよい。この場合には、表示画面のスクロール移動方向に合わせて、移動指示をおこなうための操作部材としては、上下左右操作ボタンのうち左右方向の指示信号をそれぞれ発生させるレフトキー及びライトキーを用いるようにすればよい。
【０１６０】
ステップＳ３０の処理において、ＣＰＵ１０は、表示切換指示信号（ＤＮキーのオフ信号及びオン信号）が確認されるまで待機し、同信号が確認されると、ステップＳ２８の処理に進む。以降同様の処理が行われる。
【０１６１】
ここで、図８の符号２１Ｃの一時停止状態にあるときに、使用者がＤＮキーのオフ操作（押圧解除）とオン操作（再度の押圧操作）とを続けて行った場合の作用は、次の通りである。即ち、図８の符号２１Ｃに示す一時停止状態となったとき、使用者は、上述のように、この一時停止状態を解除し画像の連続切換表示動作を再開させるための操作を行う。
【０１６２】
ここで、使用者は、継続中のＤＮキーの押圧操作を解除（ＤＮキーオフ信号）した後、すぐにＤＮキーの押圧操作を実行（ＤＮキーオン信号）する。
【０１６３】
この操作によって生じる指示信号、即ちＤＮキーのオフ信号及びオン信号を受けて、ＣＰＵ１０は、表示制御部１７を制御して変化のあった画像の撮影日時情報「２００７／８／２０」を代表情報として扱い、これを図８の符号２１Ｄの表示例に示すように、表示部２１の画面上の特定の位置にある代表情報の表示領域２１ｃに表示させる。これと同時に、表示部２１に表示する画像も切り換える。図８の符号２１Ｄの表示では、画像番号２１の画像が表示されている。
【０１６４】
この状態から、さらにＤＮキーの使用者による押圧操作が継続している間、画像の連続切換表示がなされる。そして、この連続切換表示は、代表情報に変化する前のコマ、即ち図８の符号２１Ｆで示す表示となるまで続き、この符号２１Ｄの表示で一時停止する。次のコマ、即ち画像番号２６の画像で代表情報に変化が生じるためである。これ以降の画像の連続切換表示動作の一連の作用、以下同様である。
【０１６５】
以上説明したように上記一実施形態によれば、特定の画像関連情報に基いた順番でサムネイル画像を配列したサムネイル画面を画面切換操作指令にしたがって順次切り換えて表示させる際に、サムネイル画面上に代表となる画像関連情報を重畳させて表示画面の特定位置に固定表示させるようにし、その代表情報は、サムネイル画像の配列に利用した特定の画像関連情報であって、サムネイル画面に表示される複数のサムネイル画像のうちのいずれかのサムネイル画像に対応する特定の画像関連情報としたので、サムネイル画面を構成する個々のサムネイル画像の一つ一つにそれぞれ対応する画像関連情報を表示するような従来の手法と異なり、個々のサムネイル画像の表示を阻害することなく、所望の画像を検索し易い表示画面を構成することができる。
【０１６６】
また、サムネイル画面に表示されるサムネイル画像の特定の画像関連情報が一定範囲内で連続する場合にはサムネイル画面を連続的に切り換え表示させ、特定の画像関連情報に一定範囲以上の変化があった場合にはサムネイル画面の切り換えを自動的に停止させるように制御したので、連続する同一の画像関連情報を持つ一纏まりの画像単位で、連続表示させることができ、よって画像検索を効率的におこなうことができる。
【０１６７】
サムネイル画面をスクロール移動させて連続的に切換表示をおこなう際にも、画面上の特定の位置に配置されるサムネイル画像に対応する特定の画像関連情報を代表情報として画面上の特定の位置に固定表示するようにしたので、画像関連情報に基いた検索を行なうことが容易に可能となる。
【０１６８】
また、代表情報として表示する特定の画像関連情報としては、通常の撮影日時情報のみに限らず、撮影位置情報，アルバム情報，被写体情報等を用いて、サムネイル画面を作成する際の配列情報に利用できるので、特別に再生モードにおける表示モードの種類を用意せずとも、画像データに付随する特定の画像関連情報を参照するのみで、さまざまな視点によるサムネイル画像の配列を構成することができ、よって効率的な画像検索をおこなうことが容易にできる。
【０１６９】
なお、上記実施形態において説明したＣＰＵ１０による処理に関しては、一部または全てをハードウエアで構成してもよい。
【０１７０】
そして、ＣＰＵ１０による制御処理は、ＲＯＭ２８に格納されたソフトウエアプログラムがＣＰＵ１０に供給され、供給されたプログラムに従って上記の動作をさせることによって実現されるものである。したがって、上記ソフトウエアのプログラム自体がＣＰＵ１０の機能を実現することになり、そのプログラム自体は本発明を構成する。
【０１７１】
また、そのプログラムを格納する記録媒体も本発明を構成する。その記録媒体としては、フラッシュメモリ以外でも、ＣＤ−ＲＯＭ，ＤＶＤ等の光学記録媒体，ＭＤ等の光磁気記録媒体，テープ媒体，ＩＣカード等の半導体メモリ等を用いることができる。また、上記実施形態では、本発明を一眼レフレックス方式のデジタルカメラに適用した例として説明しているが、これに限ることはなく、例えばコンパクトタイプのデジタルカメラや携帯電話に搭載されるカメラ部に適用してもよい。
【０１７２】
上述の一実施形態では、画像表示機能を有する表示制御装置としてのデジタルカメラに本発明を適用した場合の例に挙げて詳細な説明をしているが、本発明の表示生業装置としては、これに限られるわけではなく、例えばデジタルカメラで取得し記録された多数の画像データを蓄積する記録媒体を有し、この記録媒体に記録された画像データに基いて画像の表示をおこなったり、各種のデータ処理をおこない得るように構成される画像表示装置若しくは画像処理装置等の各種の機器に対して本発明を適用することは同様に可能である。
【０１７３】
ところで、上述の一実施形態のデジタルカメラにおける再生モード時の作用のうち、サムネイル画面のスクロール移動時の動作や、代表情報の表示タイミング等については、上述の例に限ることはなく、さまざまな作用が考えられる。
【０１７４】
例えば、図９は、上記一実施形態のデジタルカメラにおける再生モード時の作用のうちサムネイル画面のスクロール移動時の別の表示例を示す図である。このうち、図９（Ａ）は、スクロール移動動作中の一状態を示している。図９（Ｂ）は図９（Ａ）の状態から代表情報に変化が生じて一時停止した状態を示している。図９（Ｃ）は図９（Ｂ）の状態からスクロール移動が再開した後に再度代表情報に変化が生じて一時停止した状態を示している。図９（Ｄ）は図９（Ｃ）の状態からスクロール移動が再開した後の一状態を示している。
【０１７５】
なお、記録媒体１８ａに記録されている画像データの各画像関連情報は、上述の位置実施形態と同様に表１に示すものが適用されるものとする。
【０１７６】
使用者によりＤＮキーが継続的に押圧操作されて、サムネイル画面がスクロール移動している場合において、その移動中の一状態としての図９（Ａ）に示す状態は、画像番号１３のサムネイル画像が表示部２１のサムネイル画面の左上隅の位置に配置された状態である。このとき表示領域２１ｃに表示されている代表情報としての撮影日時情報は、画像番号１３に対応する撮影日時情報「２００７／８／８」である。
【０１７７】
このとき同時に、画像番号２１のサムネイル画像が表示部２１のサムネイル画面の最下行の右隅位置に配置されている。この画像番号２１の画像データの撮影日時情報は、表１に示すように「２００７／８／２０」であり、この画像番号２１の画像データ以降で撮影日時情報に変化が生じることになる。そのために、図９（Ａ）の表示では、画像番号２１の表示に符号２１ｅで示す識別マーク（丸数字）を付して表示している。そして、この状態になったとき、サムネイル画面のスクロール移動は一時停止する。
【０１７８】
ここで、使用者がＤＮキーのオフ操作及びオン操作を続けておこなうと、一時停止状態が解除されスクロール移動が再開する。
【０１７９】
上述の一実施形態の表示例では、この操作によって再開されるサムネイル画面の切換動作は、サムネイル画像２１以降の画像がその配列にしたがって順に繰り上がっていく動作としていた。
【０１８０】
これに対して本表示例では、スクロール移動の再開指令によって再開される動作は、次のようになる。
【０１８１】
即ち、本表示例では、図９（Ａ）の状態からサムネイル画面上のサムネイル画像の配列を崩さずに、各サムネイル画像はそのままの配列で上方向へとスクロール移動して図９（Ｂ）の状態へと移行する。
【０１８２】
そして、図９（Ｂ）に示すように、画像番号２１が表示部２１の最上行にの右隅位置に配置される。このとき、この画像番号２１とは異なる撮影日時情報を有する画像番号２６のサムネイル画像が同じサムネイル画面内に含まれて表示される。したがって、これにより図９（Ｂ）の状態で再度サムネイル画面のスクロール移動は一時的に停止される。
【０１８３】
しかしながら、図９（Ｂ）の状態では、表示部２１の表示画面上の左上隅の位置のサムネイル画像は、画像番号１９であり、この画像番号１９の撮影日時情報は「２００７／８／８」であるので、表示領域２１ｃの表示は変化していない。
【０１８４】
一方、この図９（Ｂ）に示す状態では、上述したように画像番号２１以降の画像番号表示に符号２１ｅの識別マークが付されていることから、使用者は、表示中のサムネイル画面上で代表情報が変化していることは識別し得るようになっている。
【０１８５】
図９（Ｂ）の一時停止状態において、さらに、使用者がＤＮキーのオフ操作及びオン操作を続けておこなうことで一時停止状態が解除されスクロール移動が再開する。
【０１８６】
すると、図９（Ｃ）の状態に移行したとき、表示部２１の左上隅の位置に配置されるサムネイル画像は画像番号２２となる。この画像番号２２の撮影日時情報は「２００７／８／２０」であるので、これが代表情報として扱われ、表示領域２１ｃに表示される。これと同時に、表示領域２１ｃに表示されている代表情報（撮影日時情報）と同じ撮影日時情報を持つ画像データのサムネイル画像、即ち画像番号２１〜２５（表１参照）に付されていた識別マーク２１ｅが解除される。
【０１８７】
そして、図９（Ｃ）の状態では、表示領域２１ｃに表示中の代表情報「２００７／８／２０」（画像番号２２の撮影日時情報）とは異なる撮影日時情報を持つ画像データのサムネイル画像（画像番号２６以降）が表示部２１のサムネイル画面に含まれている。
【０１８８】
そこで、この図９（Ｃ）の状態でも、再度スクロール移動が一時停止されると共に、画像番号２６〜３０に対しては識別マーク符号２１ｅの表示が維持されたままとなっている。
【０１８９】
この図９（Ｃ）の一時停止状態において、さらに使用者がＤＮキーのオフ操作及びオン操作を続けておこなって一時停止状態が解除されスクロール移動が再開した後に、図９（Ｄ）に示すように、表示部２１の画面左上隅に位置に、表示領域２１ｃに表示される代表番号とは異なる撮影日時情報を持つ画像番号２８のサムネイル画像が配置されると、表示領域２１ｃの表示は、撮影日時情報「２００７／９／２５」に変わる。以降同様に作用する。
【０１９０】
このように、図９（Ａ）〜図９（Ｄ）で示す別の表示例では、特定の画像関連情報に基いて配列したサムネイル画像の形態を崩すことなく、サムネイル画面のスクロール移動をおこなうようにしている。
【０１９１】
次に、図１０は、上記一実施形態のデジタルカメラにおける再生モード時のサムネイル画面のスクロール移動中の代表情報の表示タイミングについての別の表示例を示す図である。図１０（Ａ）は、サムネイル画面のスクロール移動中に代表情報の変化を検出して一時停止した状態を示している。図１０（Ｂ）は図１０（Ａ）の状態で変化した代表情報に応じて各表示を変更した状態を示している。
【０１９２】
なお、図１０（Ａ），図１０（Ｂ）で説明する作用は、上述の図９（Ｂ），図（Ｃ）で説明する作用のうちの代表情報の表示タイミングと表示方法を異ならせた場合の例を示すものである。したがって、その他の作用については、上述の図９の表示例に準ずるものとする。
【０１９３】
図１０（Ａ）で示す状態は、上述の図９（Ｂ）の状態と同様である。即ち、最初に作成されたサムネイル画像の配列を崩さずにスクロール移動がなされて、画像番号２１が表示部２１の右上隅位置に配置されるのと同時に、この画像番号２１とは異なる撮影日時情報を有する画像番号２６のサムネイル画像が同じサムネイル画面内に含まれて表示され、これによって、サムネイル画面のスクロール移動が一時停止状態となっている。
【０１９４】
このとき、表示部２１のサムネイル画面は、画像番号１９のサムネイル画像が左上隅に配置され、この画像番号１９の撮影日時情報「２００７／８／８」が代表情報として表示領域２１ｃに表示されている。そして、画像番号２１〜２７には、識別マーク符号２１ｅが付されている。
【０１９５】
この状態で表示部２１に表示されているサムネイル画面に含まれるサムネイル画像の個々の撮影日時情報は、実際には表１に示すように
画像番号１９〜２０が「２００７／８／８」
画像番号２１〜２５が「２００７／８／２０」
画像番号２６〜２７が「２００７／８／３１」
となっている。この場合、代表情報として表示領域２１ｃに表示されている撮影日時情報を持つ画像以外の画像データに基くサムネイル画像の画像番号に対して識別マーク２１ｅが付されている。
【０１９６】
そこで、図１０（Ａ）の状態でサムネイル画面のスクロール移動が一時停止したときに、使用者は、一時停止状態の解除のためにＤＮキーの押圧状態を解除するオフ操作をおこなった後、再度ＤＮキーの押圧操作によりオン操作する。このとき、ＤＮキーの押圧操作は、短時間の押圧操作のみをおこなう。すると、この短時間のＤＮキーのオン信号を受けて、表示制御部１７は、図１０（Ｂ）に示す表示に切り換える制御をおこなう。
【０１９７】
即ち、図１０（Ｂ）において、表示領域２１ｃの代表情報の表示「２００７／８／８」を、次の撮影日時情報「２００７／８／２０」に変更すると共に、新たに代表情報とした撮影日時情報を含む画像の画像番号（２１〜２５）の識別マーク符号２１ｅを解除して通常の画像番号のみの表示に切り換えた後、この代表情報を持つ画像以外の画像番号（１９〜２０，２６〜２７）には識別マーク符号２１ｅを付した表示にしている。これにより、表示領域２１ｃに表示される代表情報を持つ画像のサムネイル画像を特定することができるようになっている。
【０１９８】
なお、図１０（Ｂ）の状態から、サムネイル画面のスクロール移動を再開するには、使用者はＤＮキーの押圧操作をおこなって、その押圧操作を継続すればよい。
【０１９９】
上述の一実施形態の説明では、サムネイル画像の配列は、特定の画像関連情報を用いて順番に切れ目無く配列するようにしていた。
【０２００】
これに対して、次に説明するさらに別の表示例では、特定の画像関連情報を用いて順番にサムネイル画像を配列する際に、連続する同一の画像関連情報を有する複数のサムネイル画像を一群とし、表示部２１にサムネイル画面を表示するとき、一つのサムネイル画面内に異なる特定の画像関連情報を持つサムネイル画像が混在しないように配列している。
【０２０１】
図１１は、別の形態で配列されたサムネイル画像を示す図である。このうち、図１１（Ａ）は配列されたサムネイル画像と、これに基いて表示されるサムネイル画面を示している。図１１（Ｂ）は、図１１（Ａ）の状態からスクロール移動された後に代表情報が変化して一時停止した状態を示している。図１１（Ｃ）は、図１１（Ｂ）の状態からスクロール移動された後に代表情報が変化して一時停止した状態を示している。
【０２０２】
この表示例においては、図１１（Ａ）に示すように、サムネイル画像の配列を、撮影日時情報に基いておこなっており、この場合において、同じ撮影日時情報を有する画像毎に、即ち画像番号１〜２０をａ群とし、画像番号２１〜２５をｂ群とし、画像番号２６〜２７をｃ群とし、画像番号２８以降をｄ群として配列した形態のサムネイル画像を作成している。こうして同一の撮影日時情報を有する画像毎に分けられて配列された各群単位のサムネイル画像をサムネイル画面として表示部に表示するとき、サムネイル画面の一画面分は九つのサムネイル画像によって形成されるわけであるが、場合によっては、一画面分全てがサムネイル画像で埋まらない状況になる。この場合には、本表示例では図１１（Ａ）等において符号２１ｆで示す余白部分を設けるようにしている。
【０２０３】
このような配列とすれば、一画面内に特定の画像関連情報が異なる画像が混在することがなく、左上隅の位置に配置されるサムネイル画像に対応する特定の画像関連情報を代表情報としても、常にその代表情報と同じ画像関連情報を持つサムネイル画像のみが表示されるようになっている。
【０２０４】
図１１（Ａ）に示す状態においては、表示領域２１ｃに表示される撮影日時情報を持つ最後の画像（画像番号２１）、即ち符号ａで示す画像群のサムネイル画像のあとの領域は余白となっている。
【０２０５】
この状態で、ＤＮキーのオフ操作及びオン操作がおこなわれると、一時停止状態が解除された後、スクロール移動が再開される。そして、図１１（Ｂ）に示す状態に移行して、符号ｂで示す画像群のサムネイル画像がサムネイル画面として表示部２１に表示された後、再度スクロール移動は一時停止される。この図１１（Ｂ）の表示に切り換わったとき、表示領域２１ｃの表示は符号ｂで示す画像群の撮影日時情報「２００７／８／２０」に切り換わる。
【０２０６】
この状態で、ＤＮキーのオフ操作及びオン操作が再度おこなわれると、同様に一時停止状態が解除された後、スクロール移動が再開される。そして、図１１（Ｃ）に示す状態に移行して、符号ｃで示す画像群のサムネイル画像がサムネイル画面として表示部２１に表示された後、再度スクロール移動は一時停止される。この図１１（Ｃ）の表示に切り換わったとき、表示領域２１ｃの表示は符号ｃで示す画像群の撮影日時情報「２００７／８／３１」に切り換わる。
【０２０７】
上述の一実施形態の説明では、サムネイル画面の表示切り換えをスクロール移動させるようにしていた。これに対して、次に説明する表示例では、サムネイル画面の表示切り換えを画面毎にページ単位で切り換えるようにしている。
【０２０８】
図１２は、本発明の一実施形態のデジタルカメラにおける再生モード時の作用のうちサムネイル画面の表示切り換えの別の表示例を示す図である。このうち、図１２（Ａ）は、再生モードのサムネイル再生モードで起動した際のサムネイル画面を示す図である。図１２（Ｂ）は図１２（Ａ）の状態からサムネイル画面を一画面分切り換えた後の一状態を示している。図１２（Ｃ）は図１２（Ｂ）の状態からサムネイル画面を一画面分切り換えた後に代表情報に変化が生じて切り換え動作が一時停止した一状態を示している。図１２（Ｄ）は図１２（Ｃ）の状態から表示動作が再開されてサムネイル画像の表示配列の切り換えがなされると共に再度代表情報に変化が生じて一時停止した状態を示している。図１２（Ｅ）は図１２（Ｄ）の状態から表示動作が再開されてサムネイル画像の表示配列の切り換えがなされると共に再度代表情報に変化が生じて一時停止した状態を示している。
【０２０９】
この表示例においては、まず、デジタルカメラ１が再生モードで起動されて、かつサムネイル再生モードによる再生動作の開始を選択されたときの表示部２１の表示状態が図１２（Ａ）の状態となる。
【０２１０】
この図１２（Ａ）の表示では、上述の一実施形態等の表示例と同様に、特定の画像関連情報によって配列されたサムネイル画像のうち最初の一領域分（三画像×三画像分）がサムネイル画面として表示部２１に表示され、その表示領域２１ｃに代表情報として画像番号１に対応する撮影日時情報「２００７／８／８」が表示されている。
【０２１１】
この状態において、使用者によりＤＮキーが押圧操作（継続操作）されるとサムネイル画面の切換表示が開始する。ここで、おこなわれるサムネイル画面の切換表示は、表示部２１に表示される一画面（サムネイル画像の三画像×三画像分）を一単位とする表示切り換えである。これにより、図１２（Ａ）で示す表示は、図１２（Ｂ）で示す表示に切り換わり、次いで図１２（Ｃ）で示す表示に切り換わる。
【０２１２】
図１２（Ｃ）に示すサムネイル画面には、この時点で設定されている代表情報とは異なる特定の画像関連情報（撮影日時情報）を持つサムネイル画像が含まれている。つまり、図１２（Ｃ）のサムネイル画面には、表示領域２１ｃの表示「２００７／８／８」とは異なる撮影日時情報を持つ画像番号２１以降（表１参照）のサムネイル画像が含まれている。
【０２１３】
そこで、図１２（Ｃ）の表示状態に切り換わったときには、異なる撮影日時情報を持つサムネイル画像の画像番号２１以降に対して識別マーク符号２１ｅが付される。そして、ＤＮキーが継続して押圧操作されている状態であるのに関らず、表示切り換え動作が一時的に停止する。
【０２１４】
この状態において、使用者によりＤＮキーのオフ操作がなされた後、続けてオン操作が続けてなされると、サムネイル画面の表示切り換え動作が再開し、図１２（Ｄ）の表示に切り換わる。ここで、おこなわれる表示切り換え動作は、図１２（Ｃ）の状態で、画面右上隅にある画像番号２１のサムネイル画像、即ち代表情報とは異なる撮影日時情報を持つ一群のサムネイル画像のうちの最初のサムネイル画像が、図１２（Ｄ）に示すように画面左上隅に配置される状態になる。これに伴って、画像番号２１以降のサムネイル画像も同様に移動する。そして、これにより画像番号２１に対応する特定の画像関連情報である撮影日時情報が代表情報に設定されると共に、その撮影日時情報「２００７／８／２０」が表示領域２１ｃに表示される。これと同時に、この代表情報と同じ撮影日時情報を持つサムネイル画像、即ち画像番号２１〜２５に付されていた識別マーク符号２１ｅが解除される。
【０２１５】
なお、この図１２（Ｄ）のサムネイル画面では、新たに設定された代表情報とは異なる撮影日時情報を持つサムネイル画像（画像番号２６以降）が含まれているので、図１２（Ｄ）の表示状態で表示切り換え動作が一時停止している。そして、画像番号２６以降には識別マーク符号２１ｅが継続して付されたままになっている。
【０２１６】
この状態において、使用者により再度ＤＮキーのオフ操作がなされ、続けてオン操作がなされると、サムネイル画面の表示切り換え動作が再開し、図１２（Ｅ）に示す状態になる。
【０２１７】
図１２（Ｅ）の表示では、図１２（Ｄ）の状態から画像番号２６以降のサムネイル画像が順に繰り上がって表示されて、最終的に図１２（Ｅ）に示す状態、即ち画像番号２６のサムネイル画像が画面左上隅に配置された状態で表示の移動は一時停止する。
【０２１８】
このとき、代表情報は、画像番号２６の特定の画像関連情報（撮影日時情報）に設定され、その撮影日時情報「２００７／８／３１」が表示領域２１ｃに表示されると共に、画像番号２６〜２７の識別マーク符号２１ｅが解除される。また、代表情報とは異なる撮影日時情報を持つ画像番号２８以降には識別マーク符号２１ｅが付される。
【０２１９】
そして、この状態においてＤＮキーの押圧操作が継続していれば、以降、連続して表示切り換えがなされる。また、代表情報に変化が生じたときに表示切り換え動作は、上述の説明と同様に一時停止する。以降、同様に作用する。
【０２２０】
上述の図１２にて説明した一画面単位での表示切り換え方法は、上述の図１１で説明した配列方法で作成したサムネイル画像に対しても適用することができる。この場合の表示例は、図１３に示す通りである。
【０２２１】
図１３は、図１２の表示例の一画面単位での表示切り換え方法を、図１１の表示例の配列方法で作成したサムネイル画像に対して適用した場合の表示例を示すものである。このうち図１３（Ａ）は、図１１（Ａ）のａ群に対応する画像のサムネイル画面のうち最終頁を表示して一時停止した状態を示している。図１３（Ｂ）は、図１１（Ａ）のｂ群に対応する画像のサムネイル画面のうち最終頁を表示して一時停止した状態を示している。図１１（Ａ）のｃ群に対応する画像のサムネイル画面のうち最終頁を表示して一時停止した状態を示している。
【０２２２】
この表示例の場合には、図１３（Ａ）〜図１３（Ｃ）に示すように、サムネイル画面の一画面分全てがサムネイル画像で埋まらない状況の場合に、符号２１ｆで示す余白部分が存在している。このような表示形態とすることで、使用者は、連続表示されるサムネイル画面の移動中においても特定の画像関連情報の変化を容易に識別することができることになる。
【０２２３】
また、上述の一実施形態及び上記各表示例においては、表示部２１の画面上の特定の位置にある代表情報の表示領域２１ｃを、いずれも画面略中央部分の領域として例示しているが、その表示位置はこれに限ることはない。
【０２２４】
表示領域２１ｃの画面上における表示位置としては、例えば図１４，図１５等に示すようにしてもよい。
【０２２５】
図１４は、表示部２１の画面上において右上隅部分の所定範囲の領域を表示領域２１ｃとした表示例である。
【０２２６】
図１５は、表示部２１の全表示領域を、サムネイル画面を表示する領域（符号２１ｇ）と、代表情報を表示する領域（符号２１ｈ）とに分割し、この代表情報表示領域２１ｈを、画面上における下縁側の所定範囲の領域とした表示例である。この表示例とした場合、上述した各表示例で示す方法、即ち代表情報をサムネイル画面に重畳させる表示方法と比べて、個々のサムネイル画像を隠してしまうようなことがないので、より見易い画面構成であると言える。また、代表情報表示領域２１ｈの範囲を広く確保し得るので、一つの画像関連情報だけでなく、複数の画像関連情報を同時に表示させることも可能となる。
【０２２７】
上述の一実施形態及び上述した各表示例においては、画像データに付随する画像関連情報のうち特定の画像関連情報として撮影日時情報を採用し、これに基いてサムネイル画像の配列をおこなったり、その画像関連情報を代表情報として扱うようにした場合を例示している。
【０２２８】
上述したように、本発明が適用される表示制御装置において特定の画像関連情報として扱い得る情報は、撮影日時情報に限らず、このほかにも例えば撮影位置情報やアルバム機能を利用して作成されるアルバム情報等がある。
【０２２９】
そこで、撮影位置情報を利用した場合とアルバム情報を利用した場合との各表示例について説明する。
【０２３０】
図１６，図１７は、上記一実施形態のデジタルカメラにおける再生モードのうちのサムネイル再生モードにより画像の表示をおこなう際に、サムネイル画像の配列情報として撮影位置情報を用いた場合の表示例である。
【０２３１】
このうち図１６（Ａ）は、撮影位置情報を用いてサムネイル画像を配列した場合の最初の一領域分のサムネイル画面を示す図である。図１６（Ｂ）は、図１６（Ａ）の状態からサムネイル画面のスクロール移動が開始された後の動作中の一状態を示す図である。図１６（Ｃ）は、図１６（Ｂ）の状態からさらにスクロール移動が継続された後、同じ撮影位置情報を持つ一群のサムネイル画像による最後のサムネイル画面を示し、スクロール動作が一時停止した状態を示している。
【０２３２】
そして、図１７（Ａ）は、図１６（Ｃ）の一時停止状態からスクロール移動が再開され、再度スクロール移動が一時停止した状態を示している。図１７（Ｂ）は、図１７（Ａ）の一時停止状態からスクロール移動が再開された状態を示している。図１７（Ｃ）は、図１７（Ｂ）で再開されたスクロール移動が一時停止した状態を示している。図１７（Ｄ）は、図１７（Ｃ）の表示状態からスクロール移動が再開された後、再度スクロール移動が一時停止した状態を示している。
【０２３３】
この表示例においては、まず、デジタルカメラ１が再生モードで起動されて、かつサムネイル再生モードによる再生動作の開始を選択されたときの表示部２１の表示状態が図１６（Ａ）の状態となる。なお、記録媒体１８ａに記録されている複数の画像データに付随する画像関連情報のうちの撮影位置情報の具体例については、表１を参照するものとする。
【０２３４】
この図１６（Ａ）の表示では、上述の一実施形態等の表示例と同様に、特定の画像関連情報（本例では撮影位置情報）によって配列されたサムネイル画像のうち最初の一領域分（三画像×三画像分）がサムネイル画面として表示部２１に表示され、その表示領域２１ｃに代表情報として画像番号１に対応する撮影日時情報「東京」が表示されている。
【０２３５】
この状態において、使用者によりＤＮキーが押圧操作（継続操作）されるとサムネイル画面のスクロール移動が開始する。これにより、図１６（Ａ）で示す表示は、図１６（Ｂ）で示す表示を経て、図１６（Ｃ）で示す表示となる。
【０２３６】
表１に示すように、記録媒体１８ａに記録されている画像データのうち撮影位置情報が「東京」となっている画像データは、画像番号１〜２０，４９〜６０等である。サムネイル画像の配列は、同じ撮影位置情報を持つ画像データを画像番号順に配列した形態となっている。そして、これら一連の撮影位置情報を持つ複数の画像データによるサムネイル画像に続いて、次の撮影位置情報を持つ一群のサムネイル画像が配列されることになる。
【０２３７】
この場合において、本表示例では、図１６（Ｃ）に示す如く、一群のサムネイル画像の最後の領域となるサムネイル画面では、一画面分全てがサムネイル画像で埋まらない状況となっており、この場合には、画面上において符号２１ｆで示す余白部分が設けられている。
【０２３８】
したがって、図１６（Ａ）の表示状態で使用者によりＤＮキーが押圧操作されてそれが継続された状態になると、図１６（Ｂ）の状態を経て図１６（Ｃ）の状態になる。そして、この図１６（Ｃ）の状態では、表示中の代表情報と同じ撮影位置情報を持つ最後のサムネイル画像が表示されている。したがって、この状態となったとき、ＤＮキーの押圧操作が継続状態にあってもスクロール移動は一時的に停止されることになる。
【０２３９】
そして、このスクロール移動の一時停止状態を解除した後、同スクロール移動を再開するには、ＤＮキーのオフ操作に続くオン操作をおこなう。これにより、サムネイル画面はスクロール移動を再開し、図１７（Ａ）の状態になり、スクロール移動は一時停止する。
【０２４０】
表１に示すように、記録媒体１８ａに記録されている画像データのうち画像番号２１〜２７の撮影位置情報は「横浜」である。したがって、この図１７（Ａ）の表示となったとき、代表情報の設定が変化して表示領域２１ｃには、画面左上隅の位置に配置されるサムネイル画像の撮影位置情報「横浜」が表示される。また、この場合において、サムネイル画面上において符号２１ｆで示す余白部分が存在している。
【０２４１】
この状態において、使用者は、再度ＤＮキーのオフ操作とオン操作を続けておこなう。これにより、サムネイル画面のスクロール移動が再開されて、図１７（Ａ）の表示は、図１７（Ｂ）の表示を経て図１７（Ｃ）の表示となり、スクロール移動は一時停止する。
【０２４２】
つまり、表１に示すように、記録媒体１８ａの記録済み画像データのうち画像番号２８〜３３，４１〜４８の撮影位置情報は「大阪」である。したがって、図１７（Ｂ）の表示となったとき、代表情報の設定が変化して表示領域２１ｃには、画面左上隅の位置に配置されるサムネイル画像の撮影位置情報「大阪」が表示される。続いて、スクロール移動が継続されて図１７（Ｃ）の表示となったときも代表情報は変わらず、表示領域２１ｃの表示も不変である。また、図１７（Ｃ）の表示となったときには、サムネイル画面上に符号２１ｆの余白部分が存在している。
【０２４３】
この状態において、使用者は、再度ＤＮキーのオフ操作とオン操作を続けておこなう。これにより、サムネイル画面のスクロール移動が再開されて、図１７（Ｃ）の表示は、図１７（Ｄ）の表示となり、スクロール移動は再度一時停止する。
【０２４４】
表１に示すように、記録媒体１８ａの記録済み画像データのうち画像番号３４〜４０の撮影位置情報は「京都」である。したがって、図１７（Ｄ）の表示となったとき、代表情報の設定が変化して表示領域２１ｃには、画面左上隅の位置に配置されるサムネイル画像の撮影位置情報「京都」が表示される。この場合にも、サムネイル画面上に符号２１ｆの余白部分が存在している。
【０２４５】
一方、図１８，図１９は、上記一実施形態のデジタルカメラにおける再生モードのうちのサムネイル再生モードにより画像の表示をおこなう際に、サムネイル画像の配列情報としてアルバム情報を用いた場合の表示例である。
【０２４６】
このうち図１８（Ａ）は、撮影位置情報を用いてサムネイル画像を配列した場合の最初の一領域分のサムネイル画面を示す図である。図１８（Ｂ）は、図１８（Ａ）の状態からサムネイル画面のスクロール移動が開始された後の動作中の一状態を示す図である。図１８（Ｃ）は、図１８（Ｂ）の状態からさらにスクロール移動が継続された後、同じ撮影位置情報を持つ一群のサムネイル画像による最後のサムネイル画面を示し、スクロール動作が一時停止した状態を示している。
【０２４７】
そして、図１９（Ａ）は、図１８（Ｃ）の一時停止状態からスクロール移動が再開された後の動作中の一状態を示す図である。図１９（Ｂ）は、図１９（Ａ）の状態からスクロール移動が再開された後、再度スクロール移動が一時停止した状態を示している。図１９（Ｃ）は、図１９（Ｂ）の一時停止状態からスクロール移動が再開された後、再度スクロール移動が一時停止した状態を示している。
【０２４８】
この表示例においては、まず、デジタルカメラ１が再生モードで起動されて、かつサムネイル再生モードによる再生動作の開始を選択されたときの表示部２１の表示状態が図１８（Ａ）の状態となる。この場合も、記録媒体１８ａに記録されている画像データのアルバム情報の具体例については、表１を参照するものとする。
【０２４９】
この図１８（Ａ）の表示では、上述の一実施形態等の表示例と同様に、特定の画像関連情報（本例ではアルバム情報）によって配列されたサムネイル画像のうち最初の一領域分（三画像×三画像分）がサムネイル画面として表示部２１に表示され、その表示領域２１ｃに代表情報として画像番号１に対応するアルバム情報「Ａ」が表示されている。
【０２５０】
この状態において、使用者によりＤＮキーがオン操作（継続操作）されるとサムネイル画面のスクロール移動が開始する。これにより、図１８（Ａ）の表示は、図１８（Ｂ）で示す表示を経て、図１８（Ｃ）で示す表示となる。
【０２５１】
表１に示すように、記録媒体１８ａに記録されている画像データのうちアルバム情報が「Ａ」となっている画像データは、画像番号１〜２７，４１〜５２等である。サムネイル画像の配列は、同じアルバム情報を持つ画像データを画像番号順に配列した形態となっている。そして、これら一連のアルバム情報を持つ複数の画像データによるサムネイル画像に続いて、次のアルバム情報を持つ一群のサムネイル画像が配列されることになる。
【０２５２】
この場合において、本表示例では、図１９（Ｃ）に示す如く、一群のサムネイル画像の最後の領域となるサムネイル画面で符号２１ｆで示す余白部分が存在している。
【０２５３】
したがって、図１９（Ａ）の表示状態で使用者によりＤＮキーがオン操作されてそれが継続された状態になると、図１９（Ｂ）の表示を経て図１９（Ｃ）の状態になり、スクロール移動は一時停止する。
【０２５４】
この状態において、使用者によりＤＮキーのオフ操作に続くオン操作をおこなわれると、これにより、サムネイル画面はスクロール移動を再開し、図１９（Ａ）の状態を経て図１９（Ｂ）の状態になり、スクロール移動は一時停止する。
【０２５５】
表１に示すように、記録媒体１８ａに記録されている画像データのうち画像番号３４〜４０，５３〜６０のアルバム情報は「Ｂ」である。したがって、図１９（Ａ）の表示となったとき、代表情報の設定が変化して表示領域２１ｃには、画面左上隅の位置に配置されるサムネイル画像のアルバム情報「Ｂ」が表示される。続いて、スクロール移動が継続されて図１９（Ｂ）の表示となったときも代表情報は変わらず、表示領域２１ｃの表示も不変である。なお、この場合にサムネイル画面上に符号２１ｆの余白が存在しないのは、サムネイル画面の一画面分全てがサムネイル画像でちょうど埋まった状況になった所為である。
【０２５６】
この状態において、使用者は、再度ＤＮキーのオフ操作とオン操作を続けておこなう。これにより、サムネイル画面のスクロール移動が再開されて、図１９（Ｂ）の表示は、図１９（Ｃ）の表示となり、スクロール移動は再度一時停止する。
【０２５７】
表１に示すように、記録媒体１８ａの記録済み画像データのうち画像番号２８〜３３のアルバム情報は「Ｃ」である。したがって、図１９（Ｃ）の表示となったとき、代表情報の設定が変化して表示領域２１ｃには、画面左上隅の位置に配置されるサムネイル画像のアルバム情報「Ｃ」が表示される。この場合には、サムネイル画面上に符号２１ｆの余白部分が存在している。
【０２５８】
上述したように特定の画像関連情報をサムネイル画像の配列に用いたり、代表情報とする場合の表示例として、撮影日時情報，撮影位置情報，アルバム情報をそれぞれ利用する場合について、具体的に説明したが、本発明の表示制御を実行する場合には、これらの表示例に限られることはなく、その他さまざまな画像関連情報を利用することは可能である。例えば、表２に示すような被写体情報等がある。
【表２】
0005379904.tif 000003
【０２５９】
近年、デジタルカメラにおいては、撮影モードで動作しているとき、撮影待機状態において撮像部から連続的に出力される連続撮影画像の中から所定の被写体、例えば人間の顔を検出するいわゆる顔検出機能を備えたものがある。また、予め知人友人等の顔を登録しておくことにより、この顔検出機能を用いて撮影画像の中から検出された顔が登録されている顔情報に合致した場合に撮影動作がおこなわれると、取得された画像データに付随して記録される画像関連情報のなかに被写体人物に関する情報が被写体情報として記録されるようにする技術がある。さらに、被写体情報として人物のみでなく、風景等を被写体情報として記録することもできる。このような被写体情報が画像データの画像関連情報に含まれているときには、これをサムネイル画像の配列や代表情報として利用することができる。なお、この場合における具体的な表示例については、特に図示しないが、その場合における作用は、上述した各表示例と略同様であり、表示部２１における表示形態や、サムネイル画面の表示切り換え動作またはスクロール移動時の動作等も略同様となる。
【０２６０】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【符号の説明】
【０２６１】
１……デジタルカメラ
１０……ＣＰＵ
１０ａ……サムネイル管理部
１１……撮影光学系
１２……シャッター部
１３……撮像素子
１４……撮像部
１５……画像処理部
１６……ＲＡＭ
１７……表示制御部
１８……画像記憶部
１８ａ……記録媒体
１９……ＲＯＭ
２０……表示駆動部
２１……表示部
２２……操作部
２３……制御線
【図１】
0005379904.tif 000004
【図２】
0005379904.tif 000005
【図３】
0005379904.tif 000006
【図４】
0005379904.tif 000007
【図５】
0005379904.tif 000008
【図６】
0005379904.tif 000009
【図７】
0005379904.tif 000010
【図８】
0005379904.tif 000011
【図９】
0005379904.tif 000012
【図１０】
0005379904.tif 000013
【図１１】
0005379904.tif 000014
【図１２】
0005379904.tif 000015
【図１３】
0005379904.tif 000016
【図１４】
0005379904.tif 000017
【図１５】
0005379904.tif 000018
【図１６】
0005379904.tif 000019
【図１７】
0005379904.tif 000020
【図１８】
0005379904.tif 000021
【図１９】
0005379904.tif 000022